(57)【特許請求の範囲】
【請求項１】
被記録媒体を載置可能であり、装着位置及び非装着位置に移動可能な給紙トレイと、
前記給紙トレイが前記装着位置に位置している状態で、前記給紙トレイに載置される被記録媒体を給送方向に沿って給送する給送手段と、
前記給送手段によって給送される被記録媒体に対して、画像データに基づいてインクを吐出するノズル面を有し、当該ノズル面からインクを吐出して画像を記録する記録ヘッドと、
前記給紙トレイが前記装着位置に位置しているか又は前記非装着位置に位置しているかを検知するトレイ検知手段と、
前記トレイ検知手段によって前記給紙トレイが前記装着位置に位置している状態、及び前記非装着位置に位置している状態のうち、いずれか一方の状態から他方の状態への遷移を検知する遷移検知手段と、
前記ノズル面を覆うための当接位置と、前記ノズル面から離間する離間位置と間で移動可能なキャップと、
前記キャップが前記当接位置から前記離間位置に移動したことを検知するキャップ検知手段と、
前記当接位置から前記離間位置への移動が前記キャップ検知手段によって検知されたときからの経過時間を計測する計測手段と、
前記計測手段によって計測される第１時間の経過後に、又は前記第１時間よりも長い第２時間の経過後に、前記キャップに前記ノズル面を覆わせるキャップ動作を実行するキャップ動作手段と、
前記第１時間内に前記遷移検知手段によって前記遷移が検知された場合に、前記キャップ動作手段に前記キャップ動作の実行を前記第２時間後に行わせ、前記第１時間内に前記遷移検知手段によって前記遷移が検知されなかった場合に、前記キャップ動作手段に前記キャップ動作の実行を前記第１時間後に行わせるキャップ処理を実行する制御手段と、を備えることを特徴とする画像記録装置。
【請求項２】
前記キャップ検知手段は、前記キャップが前記当接位置から前記離間位置に移動したこと及び前記キャップが前記離間位置から前記当接位置に移動したことを検知するものであり、
前記キャップをノズル面から離間させるキャップ解除動作を実行するキャップ解除手段、を備え、
前記制御手段は、前記離間位置から前記当接位置への移動が前記キャップ検知手段によって検知された後に、前記遷移検知手段によって前記遷移が検知された場合に、前記キャップ解除手段に前記キャップ解除動作を実行させることを特徴とする請求項１に記載の画像記録装置。
【請求項３】
前記記録ヘッドは、前記給送方向と直交する主走査方向に往復移動可能であり、
前記記録ヘッドから被記録媒体へインクを吐出する際の、前記主走査方向における前記記録ヘッドの移動開始位置を決定する決定手段、を備え、
前記キャップは、給送される被記録媒体の通過領域から前記主走査方向において外れるキャップ動作位置に配置されており、
前記制御手段は、前記キャップ検知手段によって前記キャップが前記離間位置から前記当接位置に移動したことが検知された後に、前記遷移検知手段によって前記遷移が検知された場合に、前記記録ヘッドを前記キャップ動作位置から前記移動開始位置へ移動させることを特徴とする請求項２に記載の画像記録装置。
【請求項４】
実行されている前記キャップ動作を中断する中断手段、を備え、
前記制御手段は、前記第１時間後に前記キャップ動作を実行している間に、前記遷移検知手段によって前記遷移が検知されるときに、前記中断手段によって前記キャップ動作を中断させ、前記第２時間後に前記キャップ動作を実行させることを特徴とする請求項３に記載の画像記録装置。
【請求項５】
前記制御手段は、前記キャップ動作が中断された後に、前記移動開始位置に前記記録ヘッドを移動させることを特徴とする請求項４に記載の画像記録装置。
【請求項６】
前記画像データが、所定の解像度よりも高い解像度を示す画像データであるか否かを検知する画質検知手段、を備え、
前記制御手段は、前記画質検知手段によって高い解像度を示す画像データであることが検知された場合に、前記第１時間後に前記キャップ動作を実行させることを特徴とする請求項１乃至５のいずれかに記載の画像記録装置。
【請求項７】
前記給紙トレイに画像を記録可能な被記録媒体が有るか否かを検知する有無検知手段と、
前記有無検知手段によって被記録媒体が無いと検知された場合に、前記制御手段は、前記キャップ処理を実行することを特徴とする請求項１乃至６のいずれかに記載の画像記録装置。
【請求項８】
被記録媒体を載置可能であり、装着位置及び非装着位置に移動可能な給紙トレイと、
前記給紙トレイが前記装着位置に位置している状態で、前記給紙トレイに載置される被記録媒体を給送方向に沿って給送する給送手段と、
前記給送手段によって給送される被記録媒体に対して、画像データに基づいてインクを吐出するノズル面を有し、当該ノズル面からインクを吐出して画像を記録する記録ヘッドと、
前記給紙トレイが前記装着位置に位置しているか又は前記非装着位置に位置しているかを検知するトレイ検知手段と、
前記トレイ検知手段によって前記給紙トレイが前記装着位置に位置している状態、及び前記非装着位置に位置している状態のうち、いずれか一方の状態から他方の状態への遷移を検知する遷移検知手段と、
前記ノズル面を覆うための当接位置と、前記ノズル面から離間する離間位置と間で移動可能なキャップと、
前記キャップが前記当接位置から前記離間位置に移動したことを検知するキャップ検知手段と、
前記キャップ検知手段によって前記キャップが前記離間位置に位置している状態で一枚の被記録媒体に対する画像の記録が終了したときからの経過時間を計測する計測手段と、
前記計測手段によって計測される第１時間の経過後に、又は前記第１時間よりも長い第２時間の経過後に、前記キャップに前記ノズル面を覆わせるキャップ動作を実行するキャップ動作手段と、
前記第１時間内に前記遷移検知手段によって前記遷移が検知された場合に、前記キャップ動作手段に前記キャップ動作の実行を前記第２時間後に行わせ、前記第１時間内に前記遷移検知手段によって前記遷移が検知されなかった場合に、前記キャップ動作手段に前記キャップ動作の実行を前記第１時間後に行わせるキャップ処理を実行する制御手段と、を備えることを特徴とする画像記録装置。
【請求項９】
装着位置及び非装着位置に移動可能な給紙トレイと、
前記給紙トレイが前記装着位置に位置している状態で、前記給紙トレイ内の被記録媒体を給送する給送手段と、
被記録媒体にインクを吐出するノズル面を有し、当該ノズル面からインクを吐出して画像を記録する記録ヘッドと、
前記ノズル面を覆うための当接位置と、前記ノズル面から離間する離間位置と間で移動可能なキャップと、
前記給紙トレイが前記装着位置に位置しているか前記非装着位置に位置しているかに応じて異なる出力をするトレイセンサと、
制御手段と、を備え、当該制御手段は、
前記キャップを前記離間位置に位置させた状態で、前記記録ヘッドに前記ノズル面からインクを吐出させて、前記給送手段によって前記給紙トレイから給送された一枚の前記被記録媒体に、画像を記録させる画像記録処理と、
前記画像記録処理が終了した後に、前記離間位置に位置する前記キャップを前記当接位置に位置させて、前記キャップによって前記ノズル面を覆わせるキャップ処理と、
前記トレイセンサの出力に基づいて前記給紙トレイの移動を検知するトレイ検知処理と、を実行し、
前記画像記録処理が終了してから第１時間内に前記給紙トレイの移動を検知した場合は、前記画像記録処理が終了してから前記第１時間よりも長い第２時間経過したら前記キャップ処理を実行し、前記画像記録処理が終了してから前記第１時間内に前記給紙トレイの移動を検知しない場合は、前記画像記録処理が終了してから前記第１時間経過したら前記キャップ処理を実行する画像記録装置。
【請求項１０】
給紙トレイと、給送手段と、ノズル面を有する記録ヘッドと、キャップと、トレイセンサと、制御手段と、を備えた画像記録装置の前記制御手段に実行させる制御プログラムであって、
前記キャップを、前記記録ヘッドの前記ノズル面から離間した離間位置に位置させた状態で、前記記録ヘッドに前記ノズル面からインクを吐出させて、前記給送手段によって前記給紙トレイから給送された一枚の被記録媒体に、画像を記録させる画像記録処理と、
前記画像記録処理が終了した後に、前記離間位置に位置する前記キャップを、前記キャップが前記ノズル面を覆う当接位置に位置させるキャップ処理と、
前記給紙トレイの移動に応じた出力をする前記トレイセンサの出力に基づいて、前記給紙トレイの移動を検知するトレイ検知処理と、を前記制御手段に実行させ、
前記画像記録処理が終了してから第１時間内に前記給紙トレイの移動を検知した場合は、前記画像記録処理が終了してから前記第１時間よりも長い第２時間経過したら前記キャップ処理を実行させ、前記画像記録処理が終了してから前記第１時間内に前記給紙トレイの移動を検知しない場合は、前記画像記録処理が終了してから前記第１時間経過したら前記キャップ処理を、前記制御手段に実行させる制御プログラム。
【発明の詳細な説明】
【技術分野】
【０００１】
本発明は、インクを吐出する記録ヘッドをキャップすることで、記録ヘッドの乾燥を防ぐキャップ手段を備えた画像記録装置に関する。
【背景技術】
【０００２】
従来より、被記録媒体に、記録ヘッドのノズル面からインクを吐出することで画像を記録する画像記録装置が知られている。この画像記録装置においては、乾燥によって生じるノズル面の目詰まりを防止するために、記録しない時はキャップによってノズル面を覆う処理であるキャッピング処理が行われる。そして、記録を再開する時は、ノズル面を覆うキャップをノズル面から外すキャップアウト処理が行われた後、画像記録が行われる。
【０００３】
この種の画像記録装置の一例は、特許文献１に記載されている。特許文献１に記載の画像記録装置は、記録ヘッドを搭載し主走査方向に移動するキャリッジと、キャリッジがホーム位置に達したかを検知するホームセンサーと、ホーム位置に備えられる回復装置と、を備える。特許文献１に記載の画像記録装置においては、被記録媒体が交換する状態であると判断されると、キャリッジがホームセンサーの検出する位置まで戻る。そして、キャリッジがホームセンサーによって検出されると、回復装置の回復装置用モーターが駆動されて、記録ヘッドに対してキャッピング処理が行われる。
【先行技術文献】
【特許文献】
【０００４】
【特許文献１】特開平７−１１７２４０号公報
【発明の概要】
【発明が解決しようとする課題】
【０００５】
特許文献１に記載の画像記録装置のように、被記録媒体を補充する必要があると判断されると、直ちに記録ヘッドに対してキャッピング処理が行われている。しかしながら、キャッピング処理中に、ユーザが、被記録媒体を補充して、直ちに画像記録を再開したい場合でも、キャッピング処理に加え、さらに、キャップアウト処理が終了するまで画像記録の開始を待たなければならない。したがって、キャッピング処理及びキャップアウト処理のための時間だけ画像記録の開始が遅れ、ユーザにとって、画像記録を迅速に再開させるという使い勝手が悪くなるといった虞があった。
【０００６】
本発明は、給紙トレイが装着位置に位置している状態、及び非装着位置に位置している状態のうち、いずれか一方の状態から他方の状態への遷移が第１時間内に検知されないときに、キャップ動作を第１時間の経過後に実行することにより、画像記録を迅速に再開することができる画像記録装置を提供することを目的としている。
【課題を解決するための手段】
【０００７】
この目的を達成するために、請求項１に記載の画像記録装置は、被記録媒体を載置可能であり、装着位置及び非装着位置に移動可能な給紙トレイと、前記給紙トレイが前記装着位置に位置している状態で、前記給紙トレイに載置される被記録媒体を給送方向に沿って給送する給送手段と、前記給送手段によって給送される被記録媒体に対して、画像データに基づいてインクを吐出するノズル面を有し、当該ノズル面からインクを吐出して画像を記録する記録ヘッドと、前記給紙トレイが前記装着位置に位置しているか又は前記非装着位置に位置しているかを検知するトレイ検知手段と、前記トレイ検知手段によって前記給紙トレイが前記装着位置に位置している状態、及び前記非装着位置に位置している状態のうち、いずれか一方の状態から他方の状態への遷移を検知する遷移検知手段と、前記ノズル面を覆うための当接位置と、前記ノズル面から離間する離間位置と間で移動可能なキャップと、前記キャップが前記当接位置から前記離間位置に移動したことを検知するキャップ検知手段と、前記当接位置から前記離間位置への移動が前記キャップ検知手段によって検知されたときからの経過時間を計測する計測手段と、前記計測手段によって計測される第１時間の経過後に、又は前記第１時間よりも長い第２時間の経過後に、前記キャップに前記ノズル面を覆わせるキャップ動作を実行するキャップ動作手段と、前記第１時間内に前記遷移検知手段によって前記遷移が検知された場合に、前記キャップ動作手段に前記キャップ動作の実行を前記第２時間後に行わせ、前記第１時間内に前記遷移検知手段によって前記遷移が検知されなかった場合に、前記キャップ動作手段に前記キャップ動作の実行を前記第１時間後に行わせるキャップ処理を実行する制御手段と、を備えることを特徴とする。
【０００８】
また、請求項２に記載の画像記録装置は、請求項１に記載の画像記録装置において、前記キャップ検知手段は、前記キャップが前記離間位置から前記当接位置に移動したことを検知するものであり、前記キャップをノズル面から離間させるキャップ解除動作を実行するキャップ解除手段、を備え、前記制御手段は、前記離間位置から前記当接位置への移動が前記キャップ検知手段によって検知された後に、前記遷移検知手段によって前記遷移が検知された場合に、前記キャップ解除手段に前記キャップ解除動作を実行させることを特徴とする。
【０００９】
また、請求項３に記載の画像記録装置は、請求項２に記載の画像記録装置において、前記記録ヘッドは、前記給送方向と直交する主走査方向に往復移動可能であり、前記記録ヘッドから被記録媒体へインクを吐出する際の、前記主走査方向における前記記録ヘッドの移動開始位置を決定する決定手段、を備え、前記キャップは、給送される被記録媒体の通過領域から前記主走査方向において外れるキャップ動作位置に配置されており、前記制御手段は、前記キャップ検知手段によって前記キャップが前記離間位置から前記当接位置に移動したことが検知された後に、前記遷移検知手段によって前記遷移が検知された場合に、前記記録ヘッドを前記キャップ動作位置から前記移動開始位置へ移動させることを特徴とする。
【００１０】
また、請求項４に記載の画像記録装置は、請求項３に記載の画像記録装置において、実行されている前記キャップ動作を中断する中断手段、を備え、前記制御手段は、前記第１時間後に前記キャップ動作を実行している間に、前記遷移検知手段によって前記遷移が検知されるときに、前記中断手段によって前記キャップ動作を中断させ、前記第２時間後に前記キャップ動作を実行させることを特徴とする。
【００１１】
また、請求項５に記載の画像記録装置は、請求項４に記載の画像記録装置において、前記制御手段は、前記キャップ動作が中断された後に、前記移動開始位置に前記記録ヘッドを移動させることを特徴とする。
【００１２】
また、請求項６に記載の画像記録装置は、請求項１乃至５のいずれかに記載の画像記録装置において、前記画像データが、所定の解像度よりも高い解像度を示す画像データであるか否かを検知する画質検知手段、を備え、前記制御手段は、前記画質検知手段によって高い解像度を示す画像データであることが検知された場合に、前記第１時間後に前記キャップ動作を実行させることを特徴とする。
【００１３】
また、請求項７に記載の画像記録装置は、請求項１乃至６のいずれかに記載の画像記録装置おいて、前記給紙トレイに画像を記録可能な被記録媒体が有るか否かを検知する有無検知手段と、前記有無検出手段によって被記録媒体が無いと検知された場合に、前記制御手段は、前記キャップ処理を実行することを特徴とする。
【００１４】
また、請求項８に記載の画像記録装置は、請求項１乃至７のいずれかに記載の画像記録装置において、前記計測手段は、一枚の被記録媒体に対する画像の記録が終了したときからの経過時間を計測することを特徴とする。
【発明の効果】
【００１５】
本願発明の画像記録装置によれば、給紙トレイが装着位置に位置している状態、及び非装着位置に位置している状態のうち、いずれか一方の状態から他方の状態への遷移が第１時間内に検知されないときに、キャップ動作を第１時間の経過後に実行することにより、画像記録を迅速に再開することができるといった効果を奏する。
【図面の簡単な説明】
【００１６】
【図１】複合機１０の斜視図である。
【図２】プリンタ部１１を左右方向９から見た場合の断面を模式的に表した図である。
【図３】プリンタ部１１を上下方向７から見た場合の断面を表した図である。
【図４】保守機構６０を上下方向７から見た場合の断面図と、左右方向９から見た場合の断面図である。
【図５】給送部３０と駆動伝達切換機構４０との斜視図である。
【図６】駆動伝達切換機構４０の詳細を表した斜視図である。
【図７】複合機１０の電気的構成を表したブロック図である。
【図８】制御部９０によって実行されるクック動作処理を示したフローチャートである。
【図９】制御部９０によって実行されるメイン処理を示したフローチャートである。
【図１０】制御部９０によって実行されるキャップ処理を示したフローチャートである。
【図１１】制御部９０によって実行されるキャッピング１０秒処理を示したフローチャートである。
【図１２】制御部９０によって実行されるキャッピング６０秒処理を示したフローチャートである。
【発明を実施するための形態】
【００１７】
以下、本発明の実施形態に係る複合機１０について説明する。なお、実施形態は本発明の一例にすぎず、本発明の要旨を変更しない範囲で、本発明の実施形態を適宜変更できることは言うまでもない。複合機１０は、図１に示す状態に設置されて使用される。本実施形態において、図１に矢印を付して示す３つの方向が、上下方向７、前後方向８、及び左右方向９である。図１に示す３つの方向は、他の図面においても同様である。本実施形態において、「向き」とは、一方の点から他方の離れた点に向く状態を意味し、「方向」とは、２つの離れた点の間で向く状態であり、一方の点から他方の離れた点に向く状態と、他方の離れた点から一方の点に向く状態とを含む意味である。
【００１８】
＜複合機１０の概要＞
図１を用いて、複合機１０の外観について説明する。図１に示されるように、本発明の画像記録装置の一例である複合機１０は、概ね薄型の直方体に形成されている。プリンタ部１１が、複合機１０の下部に設けられている。複合機１０は、ファクシミリ機能及びプリント機能などの各種の機能を有している。
【００１９】
プリンタ部１１は筐体１４によって覆われている。前壁１７が、筐体１４の前側に配置され、上下方向７及び左右方向９にそれぞれ拡がっている。開口１３が、前壁１７の概ね中央部に形成されている。給紙トレイ１５（本発明の給紙トレイの一例）及び排紙トレイ１６が、開口１３から前後方向に挿抜可能である。所望のサイズの用紙Ｐが給紙トレイ１５に載置される。また、表示部１８が前壁１７の上方に配置されており、当該表示部１８は複合機１０の状態を表示する。
【００２０】
複合機１０は、パーソナルコンピュータ（以下ＰＣと称する）などの外部機器と接続可能であり、ＰＣからの指示に従って複合機１０が有する各種機能を実行する。
【００２１】
＜プリンタ部１１の内部構造＞
次に図２乃至図４を用いて、プリンタ部１１の内部構造について説明する。図２に示されるように、プリンタ部１１は、給送部３０と、搬送ローラ対５５と、記録部２０と、排紙ローラ対５６と、を備えている。給送部３０（本発明の給送手段の一例）は、給紙トレイ１５に載置される用紙Ｐを搬送路２７へ給送する。搬送ローラ対５５は、給送部３０によって給紙された用紙Ｐを記録部２０に搬送する。記録部２０は、例えば、インクジェット記録方式の構成を有し、搬送ローラ対５５によって搬送された用紙Ｐに画像を記録する。排紙ローラ対５６は、記録部２０によって記録された用紙Ｐを排紙トレイ１６に排紙する。
【００２２】
＜給送部３０＞
図２に示されるように、給送部３０が給紙トレイ１５の上側に設けられている。給送部３０は、給紙ローラ３１、給紙アーム３４、及びギア列３５を備えている。給紙アーム３４は、プリンタ部１１のフレームに回動可能に取り付けられ、給紙トレイ１５に対して接離可能に上下動することができる。給紙ローラ３１は、給紙アーム３４の端部により軸支されている。ギア列３５は、給紙アーム３４中に配列された複数のギアから構成される。給紙ローラ３１は、ＡＳＦモータ２０２（図７参照）の駆動力がギア列３５によって伝達されて回転する。給紙ローラ３１は、給紙トレイ１５上の用紙Ｐに圧接した状態で回転する。給紙ローラ３１の回転により、積載された用紙Ｐが、搬送路２７へ給送される。
【００２３】
＜給紙トレイ１５＞
図２に示されるように、給紙トレイ１５は、斜壁部１２を有する。該給紙トレイ１５に載置される用紙Ｐが、給紙ローラ３１によって給送されるときに、斜壁部１２は、用紙Ｐを搬送路２７に案内する。したがって、給紙トレイ１５に載置される用紙Ｐは、斜壁部１２に用紙Ｐが当接した状態で、搬送路２７に向かって給送される。また、後述する給紙トレイセンサ１００の当接部１０１が斜壁部１２の後面側に当接する。
【００２４】
＜搬送路２７＞
図２に示されるように、搬送路２７は、給紙トレイ１５の後側の端部から上方且つプリンタ部１１の前側へ曲がって、プリンタ部１１の背面側（後側）から正面側（前側）へ延出されている。さらに、搬送路２７は、搬送ローラ対５５による挟持位置、記録部２０の下側、及び排紙ローラ対５６による挟持位置を通過して排紙トレイ１６へ通じている。給紙トレイ１５から給送された用紙Ｐは、搬送路２７により下方から上方へＵターンするように案内されて記録部２０に至る。記録部２０により画像記録が用紙Ｐに行われた後、記録された用紙Ｐは排紙トレイ１６に排紙される。搬送路２７は、記録部２０などが配設されている箇所以外は、所定間隔で対向する外側ガイド部材２９及び内側ガイド部材２８によって形成されている。
【００２５】
＜搬送ローラ対５５、及び排紙ローラ対５６＞
以下、用紙Ｐが、搬送路２７に沿って搬送される向き（図２に破線の矢印で示される向き）を、搬送向きＡとして説明が行われる。
【００２６】
図２に示されるように、搬送ローラ対５５が、記録部２０よりも搬送向きＡの上流側に設けられている。搬送ローラ対５５は、搬送路２７に対して上側に配置された搬送ローラ５５Ａと搬送路２７に対して下側に配置されたピンチローラ５５Ｂとを有する。排紙ローラ対５６が、記録部２０よりも搬送向きＡの下流側に設けられている。排紙ローラ対５６は、搬送路２７に対して下側に配置された排紙ローラ５６Ａと、搬送路２７に対して上側に配置された拍車５６Ｂとを有する。排紙トレイ１６が排紙ローラ対５６よりも搬送向きＡの下流側に配置されている。排紙トレイ１６は、記録部２０よりも搬送向きＡの下流側に設けられている。また、排紙ローラ対５６は、搬送路２７における記録部２０及び排紙トレイ１６の間に設けられている。
【００２７】
＜記録部２０＞
図２に示されるように、記録部２０は、記録ヘッド２１（本発明の記録ヘッドの一例）と、キャリッジ２３と、プラテン２２と、を備えている。キャリッジ２３は、主走査方向（図２の紙面に垂直な方向、つまり左右方向９）へ往復移動する。記録ヘッド２１は、キャリッジ２３の下側に設けられている。また、記録ヘッド２１は、その下面に、当該記録ヘッド２１の下方に搬送された用紙Ｐに対してインクを吐出するノズル２６を備える。プラテン２２は、ノズル２６の下方に配置され、搬送ローラ対５５によって搬送される用紙Ｐを支持する。
【００２８】
図３に示されるように、シアン（Ｃ）、マゼンタ（Ｍ）、イエロー（Ｙ）、ブラック（Ｋ）の各色インクが、不図示のインクタンクからインクチューブ３３を通じて、記録ヘッド２１に供給される。記録ヘッド２１は、ノズル２６から、各色のインクを微小なインク滴として吐出する。つまり、キャリッジ２３が左右方向９へ往復移動することにより、記録ヘッド２１が用紙Ｐに対して走査されると共に、ノズル２６から、各色のインクを微小なインク滴として吐出することで、プラテン２２上を搬送される用紙Ｐに画像が記録される。
【００２９】
図３に示されるように、記録部２０には、一対の平板状のガイドレール２４が前後方向８に所定の間隔を空けて配置されている。これら一対のガイドレール２４は左右方向９に沿って延びている。キャリッジ２３は、これら一対のガイドレール２４を跨ぐようにして、該一対のガイドレール２４上を摺動して往復移動される。
【００３０】
また、前側のガイドレール２４の上面には、ベルト駆動機構３７が配置されている。ベルト駆動機構３７は、駆動プーリ３８と、従動プーリ３９と、無端環状のタイミングベルト３６とを備えている。駆動プーリ３８は、前側のガイドレール２４の右端部に設けられ、従動プーリ３９は前側のガイドレール２４の左端部に設けられている。タイミングベルト３６は、各プーリ３８、３９を張架すると共に内側に歯を備える。駆動プーリ３８の軸には、ＣＲモータ２０１（図７参照）から駆動力が入力され、駆動プーリ３８の回転によりタイミングベルト３６が周運動する。タイミングベルト３６は、キャリッジ２３に固着されている。したがって、キャリッジ２３の往復移動はタイミングベルト３６の周運動によって実現される。
【００３１】
また、図３に示されるように、プラテン２２の左側には、廃インクトレイ４２が配置されている。廃インクトレイ４２は、記録ヘッド２１から空吐出されたインクを受けるものである。また、この空吐出は所謂フラッシングと呼ばれる。記録ヘッド２１は、フラッシングを実行することによって、ノズル２６内の気泡や混色インクの除去等のメンテナンスが実行される。また、廃インクトレイ４２には、フェルトが敷設されている。記録ヘッド２１がフラッシングを実行すると、空吐出されたインクはこのフェルトに吸収される。
【００３２】
＜保守機構６０＞
次に、図３及び図４を用いて、保守機構６０について説明する。保守機構６０は、ノズル２６の表面の乾燥を防止したり、ノズル２６内の気泡や異物の除去を行う。図３に示されるように、プラテン２２の右側には保守機構６０が配置されている。保守機構６０が配置される具体的な位置は、プラテン２２上を搬送される用紙Ｐが通過し得る領域よりも左右方向９において右側に外れる退避位置（本発明のキャップ動作位置の一例）に、配置されている。保守機構６０は、図４に示されるように、キャップ６１（本発明のキャップの一例）と、リフトアップ機構６２と、ポンプ１８０（図７参照）とを備える。
【００３３】
キャップ６１は、ノズル２６と当接する当接位置（図４（Ｃ）参照）と、ノズル２６から離間する離間位置（図４（Ｂ）参照）との間で移動可能である。なお、キャップ６１の移動は、後述するリフトアップ機構６２によって当接位置と離間位置との移動が実現される。キャップ６１は、当接位置に位置している場合にノズル２６の表面を覆う。キャップ６１がノズル２６の表面を覆う時は、まず、キャリッジ２３が退避位置に移動する。次にリフトアップ機構６２によってキャップ６１が離間位置から当接位置に移動されることで、キャップ６１がノズル２６の表面を覆う。キャップ６１の底部には吸気口が設けられており、吸気口は後述するポンプ１８０に接続されている。
【００３４】
ポンプ１８０は、ロータリー式のチューブポンプである。ポンプ１８０は、回転体と、ケーシングと、ポンプチューブ６３とを備える。回転体は、ＬＦモータ２０３（図７参照）によって駆動されて回転される。また、回転体はさらに、転動ローラを回転可能に支持している。転動ローラは、ケーシング内の内壁に沿って転動する。ポンプチューブ６３は、転動ローラと、ケーシングの内壁との間に配置されている。したがって、回転体がＬＦモータ２０３によって回転されると、転動ローラがポンプチューブ６３をしごくように転動する。これにより、ポンプチューブ６３内のインクが上流側から下流側へと移動する。そして、ポンプチューブ６３内のインクは上流側のポンプ１８０から、下流側の廃液タンクへと押し出される。
【００３５】
図４（Ｂ）に示されるようにリフトアップ機構６２は、等長リンク６４と、ホルダ６５とを備える。等長リンク６４は、左右方向９（図４（Ｂ）の紙面垂直方向）に沿って延びる軸を中心に回動可能である。また、等長リンク６４は、ホルダ６５と接続されている。また、ホルダ６５は、キャップ６１を支持する。図４（Ｂ）に示される姿勢から、図４（Ｃ）に示される姿勢へと、等長リンク６４が回動すると、ホルダ６５が上方へと移動する。ホルダ６５の上方への移動に伴い、キャップ６１が上方へ移動する。つまり、キャップ６１の図４（Ｂ）に示される位置が離間位置であり、キャップ６１の図４（Ｃ）に示される位置が当接位置である。なお、等長リンク６４は、ＡＳＦモータ２０２に駆動よって回動される。
【００３６】
そして、保守機構６０は、キャップ６１が当接位置に位置してノズル２６を覆った状態で、ノズル２６等からインクと共に気泡や異物を吸引除去するパージを実行する。つまり、ＡＳＦモータ２０２の正方向の駆動によって等長リンク６４が回動し、ノズル２６の表面とキャップ６１とが当接する。このとき、キャップ６１は当接位置に位置している。ノズル２６の表面がキャップ６１に覆われた状態で、ＬＦモータ２０３が駆動されることでポンプ１８０が駆動される。すると、キャップ６１の底部に設けられる吸気口を介してノズル２６やノズル２６の表面からインク、気泡、及び異物が吸引除去される。また、保守機構６０は、印刷が所定時間されない場合に、ノズル２６をキャップ６１によって覆うことで、ノズル２６の表面が乾燥することによるインクの目詰まりを防止する。
【００３７】
＜駆動伝達切換機構４０＞
次に、図５及び図６を用いてＡＳＦモータ２０２の駆動力を、給紙ローラ３１の回転又はキャップの移動の双方の一方に切換える駆動伝達切換機構４０について説明する。図５に示された駆動伝達切換機構４０は、一対のガイドレール２４の右側方、つまりキャリッジ２３が右向きに移動する際の側に配置される。駆動伝達切換機構４０は、ギア切換機構４１を備える。
【００３８】
図５に示されるようにギア切換機構４１は、駆動ギア４４と、切換ギア４５と、この切換ギア４５とそれぞれ噛合可能な歯を有する第１受けギア４６Ａ、第２受けギア４６Ｂ、切換ギア４５の保持を行う保持機構７０と、を備えている。
【００３９】
駆動ギア４４は、ＡＳＦモータ２０２の駆動が伝達されて回転する。駆動ギア４４の回転軸と略平行に支軸４７が配置され、この支軸４７に切換ギア４５が通される。切換ギア４５は、支軸４７の軸周りに回転可能であって、且つ、支軸４７の軸方向に沿って移動可能である。
【００４０】
切換ギア４５は、左右方向９における駆動ギア４４の幅寸法よりも小さい幅寸法で形成される。また切換ギア４５は、駆動ギア４４の上記幅寸法の範囲内で左右方向９に沿って移動することで第１姿勢及び第２姿勢に姿勢変化し、いずれの姿勢においても駆動ギア４４と噛合する。ここで、切換ギア４５が駆動ギア４４の左端部と噛合する姿勢を第１姿勢であり、切換ギア４５が駆動ギア４４の右端部と噛合する姿勢を第２姿勢である。
【００４１】
第１受けギア４６Ａ及び第２受けギア４６Ｂはそれぞれが互いに同径に形成され、回転軸が一直線上に並び且つ回転軸が支軸４７の軸方向に沿うように配置されている。また、第１受けギア４６Ａは第１姿勢にある切換ギア４５に噛合する位置に配置され、第２受けギア４６Ｂは第２姿勢にある切換ギア４５に噛合する位置に配置されている。切換ギア４５は、第１受けギア４６Ａ、第２受けギア４６Ｂの一方と噛合し、第１受けギア４６Ａ、第２受けギア４６Ｂの一方を選択して回転させる機能を有する。
【００４２】
第１受けギア４６Ａは、ＡＳＦモータ２０２の正転の駆動力を給紙ローラ３１に伝え、給紙ローラ３１による給紙を可能にする。第２受けギア４６Ｂは、直接又はギアなどを介して保守機構６０のリフトアップ機構６２に駆動力を伝達し、リフトアップ機構６２を介してキャップ６１を移動させる。つまり、複合機１０は、切換ギア４５が第２姿勢にある状態においてＡＳＦモータ２０２を正回転すると、キャップ６１が上昇してキャップ６１がノズル２６の吐出口を覆う待機状態になり、ＡＳＦモータ２０２を逆回転すると、キャップ６１が下降してキャップ６１がノズル２６から外れた印刷可能状態とになる。
【００４３】
保持機構７０は、図５、及び図６に示されるように支軸４７が通されるレバー部材７１及び当接部材７２と、レバー部材７１の保持を行う保持部材７３とを備えている。
【００４４】
図６（Ｃ）に示されるように、レバー部材７１は、支軸４７が通される円柱状部７１Ａと、レバー突起７１Ｂと、リブ７１Ｃとを備える。レバー突起７１Ｂは、円柱状部７１Ａの周面の左端部から径方向（図６（Ｃ）における上向き）に突出し、上述のキャリッジ２３に設けられた当接片２５（図６（Ａ）、（Ｂ）参照）によって左方から当接される。リブ７１Ｃは、レバー突起７１Ｂの右面の下端部から右向きに突出する。また、リブ７１Ｃは、円柱状部７１Ａの周方向における厚みが薄い板状に形成されている。そして、レバー部材７１は、円柱状部７１Ａを通る支軸４７の軸周りに回転可能且つ支軸４７の軸方向に沿って移動可能である。レバー部材７１は、不図示の第１弾性部材により右向きに付勢された切換ギア４５によって左方より右向きへと押圧される。
【００４５】
図６（Ｃ）に示されるように、当接部材７２は、支軸４７が通される筒部７２Ａと、制動片７２Ｂと、を備える。制動片７２Ｂは、筒部７２Ａの周面から径方向（図６（Ｃ）における上向き）に突出し、先端部が２股に別れたＹ字状に形成されている。そして、当接部材７２は、支軸４７の軸周りに回転可能且つ支軸４７の軸方向に沿って移動可能である。筒部７２Ａは、切り欠かれた切欠部７２Ｃを左端部に備え、この切欠部７２Ｃの周面が螺旋面７２Ｄである構成を有している。螺旋面７２Ｄには、レバー部材７１のリブ７１Ｃの右端が当接する。
【００４６】
したがって、当接部材７２がレバー部材７１に押し付けられると、レバー部材７１は回転する。当接部材７２は、不図示の第２弾性部材により、上述の第１弾性部材よりも大きな力で左向きに付勢されている。切換ギア４５と当接部材７２とレバー部材７１とは、第１弾性部材及び第２弾性部材により互いに押し合い、支軸４７の軸方向において一体で移動可能である。第１弾性部材及び第２弾性部材には、例えば、コイルスプリングが用いられる。
【００４７】
図６（Ａ）、（Ｂ）に示されるように、保持部材７３は、支軸４７の軸方向（左右方向９）に長い枠状に形成されている。保持部材７３は、レバー部材７１のレバー突起７１Ｂが下方より挿通され、不図示のフレームに固定されている。ここで、左右方向９における保持部材７３の長さ寸法は駆動ギア４４の上記幅寸法よりも大きく設定され、且つ、レバー突起７１Ｂは保持部材７３よりも十分に小さく形成される。またレバー突起７１Ｂは、枠状の保持部材７３の内側を移動可能である。
【００４８】
上述された当接部材７２のＹ字状の制動片７２Ｂは、２つの先端部間の離間寸法が保持部材７３の前後方向８の長さ寸法よりも大きくなるように形成されている。そして、制動片７２Ｂは、切換ギア４５が第１姿勢にある場合において、保持部材７３を挟む。制動片７２Ｂが保持部材７３を挟むことで、当接部材７２の回転は、支軸４７の軸周りに規制される。切換ギア４５が第２姿勢にある場合においては、制動片７２Ｂは保持部材７３から外れる。つまり、第２姿勢において、当接部材７２は支軸４７の軸周りに回転可能である。
【００４９】
次に、切換ギア４５が第１姿勢、第２姿勢である場合及び姿勢変化する場合について説明する。キャリッジ２３に設けられた当接片２５がレバー突起７１Ｂに当接していない場合においては、上述の第２弾性部材の付勢力によりレバー部材７１が左向きに付勢される。すると、保持部材７３に挿通されたレバー突起７１Ｂは、保持部材７３の左内側面７３Ａに押圧される。つまり、レバー突起７１Ｂが左内側面７３Ａに押圧されている状態において、切換ギア４５は第１姿勢である（図６（Ａ）参照）。
【００５０】
上述の第２弾性部材の付勢力によりレバー部材７１に押し付けられた当接部材７２は、螺旋面７２Ｄによりレバー部材７１を支軸４７の周方向の一方の向きである向き４９に付勢し、レバー突起７１Ｂを保持部材７３の前内周面７３Ｂに押し付ける。前内周面７３Ｂには、２つの切欠き７５、７６が形成されている。
【００５１】
左内側面７３Ａに押圧されるレバー突起７１Ｂが当接片２５によって押されると、レバー突起７１Ｂは切欠き７５に嵌る。切欠７５に嵌ったレバー突起７１Ｂが当接片２５により更に押されると、レバー突起７１Ｂは切欠７６に嵌る。切欠７６に嵌ったレバー突起７１Ｂは、当接片２５に更に押されることで傾斜面７６Ａを滑り、保持部材７３の右内側面７３Ｃに当接する位置に移動する。つまり、レバー突起７１Ｂが右内側面７３Ｃに当接している状態において、切換ギア４５は第２姿勢である（図６（Ｂ）参照）。
【００５２】
キャリッジ２３は、レバー突起７１Ｂが保持部材７３の右内側面７３Ｃに押し付けられた位置において、ノズルの吐出口が保守機構６０のキャップ６１の上方に位置するように設けられている。つまり、ガイドレール２４の右端がキャリッジ２３の待機位置であって、キャリッジ２３が待機位置にある場合は、切換ギア４５は第２姿勢である。
【００５３】
保持部材７３は、待機位置にあったキャリッジ２３が左向きに移動した際に、レバー突起７１Ｂにおける支軸４７の軸周りの回転を規制する規制片７７を備えている。レバー突起７１Ｂは、待機位置にあったキャリッジ２３が左向きに移動してレバー突起７１Ｂから離れると、第２弾性部材の付勢力と規制片７７とにより保持部材７３の後内側面７３Ｄに沿って左向きに移動し、左内側面７３Ａ近くで規制片７７から外れ、左内側面７３Ａ及び前内周面７３Ｂに当接する位置に移動する。
【００５４】
なお、キャリッジ２３によってレバー突起７１Ｂが移動すると、制御部９０によって切換ギア４５のギア面と、それぞれの受けギア４６Ａまたは４６Ｂのギア面と、の噛合わせを良好にするクック動作処理が行われる。このクック動作処理については、後述する。
【００５５】
＜検知機構１５０＞
次に図２及び図３を用いて、図７に示される検知機構１５０について説明する。検知機構１５０は、給紙トレイセンサ１００と、レジセンサ１１０と、ＡＳＦロータリーエンコーダ１２０と、リニアエンコーダ１３０と、キャップセンサ１４０と、を備えている。
【００５６】
＜給紙トレイセンサ１００＞
図２に示されるようにプリンタ部１１の筐体１４の後壁１９には、給紙トレイセンサ１００（本発明のトレイ検知手段の一例）が設けられている。給紙トレイセンサ１００は、当接部１０１と、支持棒１０２と、遮光部１０３と、光センサ１０４と、を備えている。当接部１０１は、筒状に形成されており、当該筒内には支持棒１０２が挿入されて支持される。支持棒１０２は、後壁１９から前後方向８に沿って前方に延びている。そして当接部１０１は、支持棒１０２によって支持されると共に前後方向８に沿って移動可能である。さらに、当接部１０１は不図示の付勢部材によって、前側に向かって付勢されている。また、当接部１０１は、給紙トレイ１５の斜壁部１２の後面と当接する。遮光部１０３は、当接部１０１から上方向に延出するようにして、当接部１０１と一体的に構成されている。さらに遮光部１０３は、後壁１９に設けられる光センサ１０４の光軸を遮断可能である。光センサ１０４は、光を発光する発光部と、発光された光を受光する受光部とを備えた周知の透過型のフォトインタラプタである。光センサ１０４は、発光部からの発光を受光部が受光するとＯＮを示す信号を制御部９０に送信し、一方で、発光部からの発光を受光部が受光しないとＯＦＦを示す信号を制御部９０に送信する。
【００５７】
以下に給紙トレイセンサ１００による給紙トレイ１５の検知について説明する。例えば、給紙トレイ１５が図２の点線に示される非装着位置（本発明の非装着位置の一例）に存在するとき、当接部１０１は不図示の付勢部材による前側への付勢によって図２の点線に示される位置に存在する。このときは、当接部１０１の遮光部１０３が光センサ１０４の光軸から退避している。したがって、給紙トレイ１５が非装着位置に存在している場合は、光センサ１０４の光軸が遮断されていないので、当該光センサ１０４は、ＯＮを示す信号を制御部９０に送信する。なお、非装着位置とは、給紙トレイ１５が、図２において、装着位置よりも前側の任意の位置である。つまり、給紙トレイ１５が非装着位置に位置する場合では、給紙トレイ１５の一部が複合機１０の開口１３内のいずれの位置に位置していても良いし、給紙トレイ１５の全部が開口１３外に位置していても良い。
【００５８】
次に、図２に示されるように、ユーザによって給紙トレイ１５が後ろ側に挿入されると、給紙トレイ１５は点線で示される位置から実線で示される装着位置（本発明の装着位置の一例）までユーザによって移動される。給紙トレイ１５の移動により、当接部１０１の遮光部１０３が光センサ１０４の光軸に進入する。したがって、給紙トレイ１５が装着位置に存在している場合は、光センサ１０４の光軸が遮断されているので、当該光センサ１０４は、ＯＦＦを示す信号を制御部９０に送信する。
【００５９】
制御部９０は、光センサ１０４によって送信されるＯＮ、またはＯＦＦを示す信号によって給紙トレイ１５が装着位置に存在するか、非装着位置に存在するかを判断する。
【００６０】
＜レジセンサ１１０＞
図２に示されるように、プリンタ部１１は、搬送路２７を搬送される用紙Ｐを検知するレジセンサ１１０を備えている。レジセンサ１１０は、搬送路２７において、搬送ローラ対５５よりも搬送向きＡの上流側に設けられている。レジセンサ１１０は、光センサ１１１と、検出子１１２Ａ、１１２Ｂを有する回転体１１２と、を備えている。光センサ１１１は、光を発光する発光部と発光された光を受光する受光部とを備えた周知の透過型のフォトインタラプタである。光センサ１１１は、発光部からの発光を受光部が受光するとＯＮを示す信号を制御部９０に送信し、一方で、発光部からの発光を受光部が受光しないとＯＦＦを示す信号を制御部９０に送信する。回転体１１２は、支軸１１３を中心に回転可能に設けられている。検出子１１２Ａは支軸１１３から搬送路２７に突出している。回転体１１２に外力が加えられていない状態で、検出子１１２Ｂは、光センサ１１１の発光部から受光部に至る光軸に進入し、当該光軸を遮断している。回転体１１２が用紙Ｐの先端に押されることによって回転すると、検出子１１２Ｂは光軸から外れる。つまり、検出子１１２Ｂが光軸に進入すると、光センサ１１１はＯＦＦを示す信号を制御部９０に送信し、検出子１１２Ｂが光軸から外れると、光センサ１１１はＯＮを示す信号を制御部９０に送信する。
【００６１】
＜ＡＳＦロータリーエンコーダ１２０＞
ＡＳＦロータリーエンコーダ１２０（図７参照）は、ＡＳＦモータ２０２（図７参照）のモータの回転軸に設けられる円盤状のディスクと、光センサとを備えている。ディスクには、その円周方向と直交するようにして、光が透過する透光部と光が透過しない非透光部とが交互に設けられている。光センサは、上述の透過型フォトインタラプタ等である。光センサは、発光部と受光部との間に透光部又は非透光部が通過するように配置される。そして、ＡＳＦモータ２０２が回転すると、発光部によって発光された光は、透光部と非透光部とによって、受光部によって受光されたり、受光されなくなる。そして、受光部は交互に繰り返される受光の有無によってパルス信号を生成し、生成したパルス信号を制御部９０に送信する。制御部９０は、ＡＳＦロータリーエンコーダ１２０によって送信されたパルス信号によってＡＳＦモータ２０２の回転量を検出する。
【００６２】
＜リニアエンコーダ１３０＞
図３に示されるようにリニアエンコーダ１３０は、エンコーダスケール１３１と、光センサ１３２と、を備える。エンコーダスケール１３１は、前側のガイドレール２４上に、左右方向９に亘って張り渡されている。また、エンコーダスケール１３１には、左右方向９に、光が透過する透光部と光が透過しない非透光部とが交互に設けられている。光センサ１３２は、上述の透過型フォトインタラプタである。光センサは、発光部と受光部との間に透光部又は非透光部が通過するように配置される。そして、キャリッジ２３が主走査方向に移動をすると、発光部によって発光された光は、透光部と非透光部とによって、受光部によって受光されたり、受光されなくなる。そして、受光部は交互に繰り返される受光の有無によってパルス信号を生成し、生成したパルス信号を制御部９０に送信する。制御部９０は、リニアエンコーダ１３０によって送信されたパルス信号によってキャリッジ２３の移動量を検出する。
【００６３】
＜キャップセンサ１４０＞
キャップ６１の近傍には、キャップ６１の位置を検知するキャップセンサ１４０（図７参照、本発明のキャップ検知手段の一例）が設けられている。キャップセンサ１４０は、例えば、摺動体と、光センサとを備える。摺動体は、キャップ６１の姿勢変化に対応して上下に摺動する。光センサは上述の透過型のフォトインタラプタである。摺動体は、キャップ６１が当接位置に位置するときに、光センサの発光部から受光部に至る光軸に進入して、光軸を遮断する。このとき光センサは、ＯＦＦを示す信号を制御部９０に送信する。また、摺動体が光軸から外れた場合に、光センサは、ＯＮを示す信号を制御部９０に送信する。この光軸の遮断の有無によってキャップ６１の位置が検知される。
【００６４】
＜電気的構成＞
次に、図７を参照して、本発明の実施形態に係る複合機１０の制御部９０（本発明の制御手段の一例）について説明する。なお、制御部９０が後述するフローチャートに従って、キャップ制御を行うことで本発明の各機能が実現される。制御部９０は、ＣＰＵ９１、ＲＯＭ９２、ＲＡＭ９３、ＥＥＰＲＯＭ９４、タイマカウンタ９５と、を主とするマイクロコンピュータとして構成されている。なお、制御部９０には、検知機構１５０、駆動部２００、及び画像データ入力部２１０、が接続されている。
【００６５】
ＲＯＭ９２は、ＣＰＵ９１が後述するクック動作処理、メイン処理及びキャップ処理を含む各種動作を制御するためのプログラムなどを格納する。
【００６６】
ＲＡＭ９３は、ＣＰＵ９１が上記プログラムを実行する際に用いるデータや信号等を一時的に記録する記憶領域として使用される。また、ＲＡＭ９３は、キャップ時間フラグメモリ９３Ａと、画像データフラグメモリ９３Ｂと、を備えている。
【００６７】
キャップ時間フラグメモリ９３Ａには、キャップ時間を１０秒（本発明の第１時間の一例である）に設定するか、６０秒（本発明の第２時間の一例である）に設定するかを示すフラグが記憶される。キャップ時間については、後述される。制御部９０が、図１０乃至図１２に示すフローチャートを実行して、キャップ時間を１０秒に設定する場合には、制御部９０がキャップ時間フラグメモリ９３Ａに「０」を記憶させる。一方で、キャップ時間を６０秒に設定する場合には、制御部９０がキャップ時間フラグメモリ９３Ａに「１」を記憶させる。なお、キャップ時間フラグメモリ９３Ａには、初期値として、「０」が記憶されている。
【００６８】
画像データフラグメモリ９３Ｂには、画像データが高画質記録であるか否かを示すフラグが記憶される。制御部９０は、後述の画像データ入力部２１０により、画像データが高画質記録である旨を受信すると、制御部９０は、画像データフラグメモリ９３Ｂに「１」を記憶させる。一方で、画像データが高画質記録でない旨を受信すると、制御部９０は、画像データフラグメモリ９３Ｂに「０」を記憶させる。
【００６９】
給紙トレイ移動フラグメモリ９３Ｃには、給紙トレイ１５が後述するキャップ処理中に移動したか否かを示すフラグが記憶されている。給紙トレイ１５がキャップ処理中に一度も移動しない場合には「０」が記憶され、一度でも移動した場合には「１」が記憶される。なお、当該メモリ９３Ｃに記憶されるフラグの変化は、後述する給紙トレイ位置フラグメモリ９４Ｂに記憶されるフラグに基づいて変化する。つまり、制御部９０はキャップ処理開始後に、一度も給紙トレイ位置フラグメモリ９４Ｂに記憶されるフラグが遷移しない場合は「０」が記憶され、一度給紙トレイ位置フラグメモリ９４Ｂに記憶されるフラグが遷移した場合は「１」が記憶される。なお、給紙トレイ位置フラグメモリ９４Ｂのフラグが遷移したか否かを判断する後述のＳ２０２、Ｓ４０２、Ｓ４２０における制御部９０の動作は、本発明の遷移検知手段の一例である。
【００７０】
ＥＥＰＲＯＭ９４には、電源オフ後も保持すべき設定やフラグ等が格納される。ＥＥＰＲＯＭ１３４は、キャップ時間メモリ９４Ａと、給紙トレイ位置フラグメモリ９４Ｂとを備えている。
【００７１】
キャップ時間メモリ９４Ａには、キャップ時間が記憶されている。キャップ時間とは、キャップ６１が記録ヘッド２１から離間するキャップアウト（本発明のキャップ解除動作の一例）してから、または、一枚の用紙Ｐに対する画像記録が終了してから、記録ヘッド２１がキャップ６１によってキャッピングされるまでの時間である。本実施形態においては、キャップ時間として１０秒と６０秒とが記憶されている。１０秒のキャップ時間は、ノズル２６の表面におけるインクの乾燥が発生せず、且つ、記録部２０による画像記録の画質が十分に保障できる範囲内の時間であり、保障時間として予め記憶される。６０秒のキャップ時間は、ノズル２６の表面におけるインクの乾燥が発生しない最大時間の範囲内の時間であり、許容時間として予め記憶される。なお、上述した１０秒、及び６０秒については、具体的な時間の一例に過ぎず、保証時間内であったり、許容時間内であれば、何秒で記憶されても良い。また、このキャップ時間は、ＲＯＭ９２に記憶されていても良い。
【００７２】
また、このキャップ時間は、ユーザによって適宜変更されてもよい。ユーザがＰＣなどの外部機器を操作することで、このキャップ時間を変更すると、ＥＥＰＲＯＭ１３４には、変更されたキャップ時間が記憶される。例えば、キャップ時間の選択肢としては、１０秒、６０秒のほかに５秒、３０秒であったり、１０秒、３０秒が挙げられるが、この限りでないことは言うまでもない。
【００７３】
給紙トレイ位置フラグメモリ９４Ｂには、給紙トレイ１５が装着位置に位置しているか、または非装着位置に位置しているかを表すフラグが記憶される。給紙トレイセンサ１００によって、ＯＦＦを示す信号が制御部９０に送信されると、制御部９０は、給紙トレイ位置フラグメモリ９４Ｂに「０」を記憶する。このとき、給紙トレイ１５は装着位置に位置している。一方で、給紙トレイセンサ１００によって、ＯＮを示す信号が制御部９０に送信されると、制御部９０は、給紙トレイ位置フラグメモリ９４Ｂに「１」を記憶する。「１」が記憶されている場合は、給紙トレイ１５は非装着位置に位置している。
【００７４】
タイマカウンタ９５は、時間をカウントするカウント回路である。カウント回路は、例えば制御部９０の一部としてハードウェアによって構成される。タイマカウンタ９５は、キャップアウトしてから、又は記録部２０による一枚の用紙Ｐに対する画像記録が終了してから、時間のカウントを開始する。なお、タイマカウンタ９５は、ＲＯＭ９１に格納されたプログラムによって、つまりソフトウェアによって実現されてもよい。
【００７５】
制御部９０に接続される検知機構１５０は、上述した給紙トレイセンサ１００、レジセンサ１１０、ＡＳＦロータリーエンコーダ１２０、リニアエンコーダ１３０及びキャップセンサ１４０を備える。そして、検知機構１５０は制御部９０に各信号を送信する。制御部９０は、送信された各信号に基づいて、ＣＲモータ２０１、ＡＳＦモータ２０２、ＬＦモータ２０３を制御する。
【００７６】
制御部９０に接続される駆動部２００は、制御部９０の指示に従ってＣＲモータ２０１、ＡＳＦモータ２０２、ＬＦモータ２０３を駆動する。そしてＣＲモータ２０１は、逆転及び正転することで、キャリッジ２３を主走査方向に往復移動させる。ＡＳＦモータ２０２は、切換ギア４５が、第１姿勢であるときに、正転することで給紙ローラ３１回転させる。また、切換ギア４５が第２姿勢であるときに、正転することで、リフトアップ機構６２を駆動してキャップ６１を上昇させ、一方で逆転することで、リフトアップ機構６２を駆動してキャップ６１を下降させる。ＬＦモータ２０３は、搬送ローラ対５５、排紙ローラ対５６及び、ポンプ１８０を駆動させる。
【００７７】
制御部９０に接続される画像データ入力部２１０は、ＰＣなどの外部機器から複合機１０に入力される画像データを入力し、入力された画像データを制御部９０に出力する。制御部９０は、キャップ制御の処理を実行する際に、画像データ入力部２１０に入力される画像データの判断を行う。なお、後述のＳ２１０、Ｓ３０２における制御部９０の動作は、本発明の画質検知手段の一例である。また、本実施形態においては、画像データは、例えば、画像を記録する対象の用紙Ｐの大きさに関する情報、または、解像度に関する情報を含む。用紙Ｐの大きさに関する情報とは、例えば、用紙Ｐの寸法として、２９７ｍｍ×２１０ｍｍ（Ａ４サイズ）や２５７ｍｍ×１８２ｍｍ（Ｂ５サイズ）といった具体的な寸法を示す情報でもよい。また、具体的な寸法ではなくＡ４、Ｂ５サイズの用紙サイズの概念を示す情報でもよい。また、解像度に関する情報としては、例えば、解像度として、６００ｄｐｉ×３００ｄｐｉ、６００ｄｐｉ×６００ｄｐｉ、１２００ｄｐｉ×６００ｄｐｉといった具体的な解像度を示す情報でも良い。また、具体的な解像度ではなく、普通画質、高画質（普通画質よりも解像度が高い）といった解像度の概念を示す情報でもよい。また、本実施形態では一例として６００ｄｐｉ×６００ｄｐｉ以上の解像度を高画質とする。
【００７８】
なお、画像データ入力部２１０によって画像データが制御部９０に入力されると、制御部９０は、記録ヘッド２１を有するキャリッジ２３の移動開始位置を決定する。なお、制御部９０は、本発明の決定手段の一例である。このキャリッジ２３の移動開始位置とは、画像データに従って記録ヘッド２１からインクが吐出される際に、キャリッジ２３が移動を開始する位置である。この移動開始位置としては、例えば、プラテン２２に対して保守機構６０と左右方向９において反対側の廃インクトレイ４２上の位置が挙げられる。これは、画像記録前、つまりインクの吐出前に、廃インクトレイ４２に向けてフラッシングを行うことで、記録ヘッド２１内のインクの状態を良好にするためである。
【００７９】
＜クック動作処理＞
キャリッジ２３によってレバー突起７１Ｂが姿勢変化されると、制御部９０によってクック動作処理が実行される。以下、クック動作を図８を用いて説明する。このクック動作は、制御部９０によってレバー突起７１Ｂが、第１姿勢から第２姿勢、または第２姿勢から第１姿勢に姿勢変化する必要があると判断されると、制御部９０によって実行される。レバー突起７１Ｂを第１姿勢から第２姿勢への姿勢変化は、記録部２０による画像記録が完了してタイマカウンタ９５のカウント値がキャップ時間に到達した時に実行される。レバー突起７１Ｂを第２姿勢から第１姿勢への姿勢変化は、記録ヘッド２１がキャップ６１によってキャッピング中に、画像記録の指示がされた時に実行される。以下では、レバー突起７１Ｂが第１姿勢から第２姿勢に変化した場合について説明する。
【００８０】
まず、タイマカウンタ９５のカウント値がキャップ時間に到達すると、制御部９０は、図８のフローチャートで示すクック動作処理を実行する。すると制御部９０は、キャリッジ２３を、レバー突起７１Ｂに向けて右向きに移動させる。そして、制御部９０は、リニアエンコーダ１３０のパルス信号に基づいて、キャリッジ２３がレバー突起７１Ｂに当接して第１姿勢から第２姿勢に姿勢変化させるまでキャリッジ２３を移動させる（ステップＳ１０：Ｎ、以下ステップＳ１０をＳ１０と省略する）。
【００８１】
そして、レバー突起７１Ｂが第２姿勢まで移動すると（Ｓ１０：Ｙ）、制御部９０は、ＡＳＦモータ２０２を正方向に回転させる（Ｓ１１）。次に制御部９０は、ＡＳＦロータリーエンコーダ１２０のパルス信号を監視して、ＡＳＦモータ２０２の正回転が所定量行われるまでＡＳＦモータ２０２を回転させる（Ｓ１２：Ｎ）。所定量とは、ＡＳＦロータリーエンコーダ１２０のパルス信号の立上りエッジが所定の回数を示す値である。そして、ＡＳＦモータ２０２が所定量正回転すると（Ｓ１２：Ｙ）、制御部９０は、ＡＳＦモータ２０２を逆方向に回転させる（Ｓ１３）。次に制御部９０は、ＡＳＦロータリーエンコーダ１２０のカウント値を監視して、ＡＳＦモータ２０２の逆回転が所定量行われるまでＡＳＦモータ２０２を回転させる（Ｓ１４：Ｎ）。所定量とは、ＡＳＦロータリーエンコーダ１２０のパルス信号の立上りエッジが所定の回数を示す値である。
【００８２】
そして、ＡＳＦモータ２０２が所定量逆回転すると（Ｓ１４：Ｙ）、制御部９０は、ＡＳＦモータ２０２の正回転及び逆回転を所定回数行われたか否かの判断をする（Ｓ１５）。制御部９０がＡＳＦモータ２０２の正回転及び逆回転が所定回数行われていないと判断すると（Ｓ１５：Ｎ）、制御部９０は、上述のＳ１１乃至Ｓ１４に示す動作を繰り返し実行する。制御部９０がＡＳＦモータ２０２の正回転及び逆回転が所定回数行われたと判断すると（Ｓ１５：Ｙ）、制御部９０は、クック動作処理を終了する。なお、このクック動作処理においては、確実に切換ギア４５のギア面と、各受けギア４６Ａ又は４６Ｂのギア面との噛み合わせを良好にするために、一般的に約５秒ほどの時間が要される。
【００８３】
＜メイン処理の説明＞
次に、画像データ入力部２１０から制御部９０に画像データが入力された場合に実行されるメイン処理について図９に示されるフローチャートを用いて説明する。
【００８４】
給紙トレイ位置フラグメモリ９４Ｂに「０」が記憶された状態で、画像データ入力部２１０から制御部９０に画像データが入力されると、制御部９０は、図９に示されるメイン処理を開始する。まず、メイン処理が開始されると、制御部９０はキャップ６１を記録ヘッド２１から離間させるキャップアウト（Ｓ１００）を行う。キャップアウトは、ＡＳＦモータ２０２を逆回転させることで実現される。このとき、同時に図８に示されるように、制御部９０は、クック動作処理を実行する。このとき同時に、制御部９０は、ＣＲモータ２０１を駆動してキャリッジ２３を移動開始位置に移動させる。そして、制御部９０がＡＳＦモータ２０２を逆回転させて、キャップセンサ１４０がＯＮを示す信号を制御部９０に出力すると、制御部９０は、タイマカウンタ９５による時間のカウントを開始させる（Ｓ１０２）。次に、制御部９０は、ＡＳＦモータの正回転を介して給紙ローラ３１を回転させることで、給紙トレイ１５中に積載される用紙Ｐの給紙を開始する（Ｓ１０４）。
【００８５】
そして、制御部９０は、給紙トレイ１５に画像記録可能な用紙があるか否かの判断をする（Ｓ１０６）。この判断においては、給紙トレイ１５に用紙が１枚も存在しない場合であったり、制御部９０に入力される画像データ中の用紙サイズと給紙トレイ１５中の用紙サイズとが合致していない場合は、否定判断する（Ｓ１０６：Ｎ）。給紙トレイ１５に用紙が１枚も存在しない場合は、給紙ローラ３１を所定時間回転させても、レジセンサ１１０の出力が変化しない場合である。画像データ中の用紙サイズと給紙トレイ１５中の用紙サイズとが合致していない場合は、画像データ中の用紙サイズと、キャリッジ２３に設けられる不図示のメディアセンサの出力結果によって、検知される用紙幅（左右方向９の大きさ）とが合致しない場合である。なお、Ｓ１０６における制御部９０の判断は、有無検知手段の一例である。
【００８６】
制御部９０がＳ１０６において否定判断すると（Ｓ１０６：Ｎ）、後述するキャップ処理に移行する。また、制御部９０がＳ１０６において肯定判断すると（Ｓ１０６：Ｎ）、タイマカウンタ９５のカウント値をクリアする（Ｓ１０８）。これは、後述のように用紙Ｐに画像記録がされることによって記録ヘッド２１からインクが吐出されてノズル２６の表面の乾燥が抑制されるからである。
【００８７】
そして、制御部９０は、用紙Ｐを搬送する搬送動作と、用紙Ｐの搬送を停止させた状態で用紙Ｐに対してインクを吐出する吐出動作と、を繰り返して画像記録を行う（Ｓ１１０）。また、このＳ１１０の画像記録においては、制御部９０によって任意のタイミングで廃インクトレイ４２にキャリッジ２３を移動させてフラッシングを行わせる。このフラッシングは、記録ヘッド２１の全てのノズルからインクを吐出する。これにより、画像記録において、ノズル２６面のインクの状態が良好に維持される。次に、一枚の用紙Ｐに対する画像の記録が完了すると、制御部９０は、再びタイマカウンタ９５による時間のカウントを開始させるとともに（Ｓ１１２）、用紙Ｐを排紙トレイ１６に排出させる（Ｓ１１４）。次に、制御部９０に入力される画像データが全頁に渡って記録され画像記録が終了したか否かを判断する（Ｓ１１６）。全頁に亘って画像記録が終了していない場合（Ｓ１１６：Ｎ）は、Ｓ１０４乃至Ｓ１１６の処理を繰り返し実行する。
【００８８】
全頁に亘って画像記録が完了すると（Ｓ１１６：Ｙ）、制御部９０が図８に示すクック動作処理を行った後に、制御部９０はキャップ６１を記録ヘッド２１へと当接させるキャッピングを行う（Ｓ１１８）。このキャッピングはＡＳＦモータ２０２を正回転させることで実現される。そして、制御部９０がＡＳＦモータ２０２を正回転させて、キャップセンサ１４０がＯＦＦを示す信号を制御部９０に出力すると、キャッピングが完了し、メイン処理を終了する。
【００８９】
＜キャップ処理の説明＞
次に、制御部９０がＳ１０６において否定判断（Ｓ１０６：Ｎ）した場合に実行されるキャップ処理（本発明のキャップ処理の一例）について図１０乃至図１２に示されるフローチャートを用いて説明する。
【００９０】
キャップ処理が制御部９０によって実行されると、まず制御部９０は、当該キャップ処理の実行が２回以上連続して実行されているか否かを判断する（Ｓ２００）。２回以上連続してキャップ処理が実行されていることとは、キャップ処理後のＳ１０６において制御部９０によって肯定判断がされない（Ｓ１０６：Ｎ）場合を示す。キャップ処理が２回以上連続して実行されていない、つまりキャップ処理が１回目である場合（Ｓ２００：Ｎ）は、Ｓ２０２に進む。一方で、キャップ処理が２回以上連続して実行されると、制御部９０は、Ｓ２００において肯定判断をする（Ｓ２００：Ｙ）。
【００９１】
＜１０秒内に画像記録を再開する場合＞
ここで、タイマカウンタ９５によるカウントの開始から１０秒以内に画像記録が再開される場合について図１０に示されるフローチャートを用いて説明する。ここで、１０秒以内に画像記録が再開される場合は、タイマカウンタ９５によるカウントの開始から１０秒以内に給紙トレイ１５がユーザによって移動されるという操作が２度行われて、画像記録再開の指示がされた場合である。
【００９２】
Ｓ２０２では制御部９０は、給紙トレイ１５が移動した否かの判断をする（Ｓ２０２）。なお、Ｓ２０２の判断は、タイマカウンタ９５によるカウントの開始から１０秒の間行われる（Ｓ２０２：Ｎ、Ｓ２０４：Ｎ）。なお、制御部９０による給紙トレイ１５が移動したことの判断は、給紙トレイ位置フラグメモリ９４Ｂに記憶されるフラグが、「０」（給紙トレイ１５が装着）から「１」（給紙トレイ１５が非装着）又は「１」から「０」に遷移したか否かによって判断する。メイン処理が開始された時は、給紙トレイ位置フラグメモリ９４Ｂには「０」が記憶されている。したがって、まず給紙トレイ１５が移動した、つまり給紙トレイ位置フラグメモリ９４Ｂに記憶されるフラグが「０」から「１」に遷移すると（Ｓ２０２：Ｙ）、制御部９０は、給紙トレイ位置フラグメモリ９４Ｂのフラグに「０」が記憶されているか否かの判断をする（Ｓ２１６）。このとき、給紙トレイ移動フラグメモリ９３Ｃには、「１」が記憶される。給紙トレイ位置フラグメモリ９４Ｂが「０」から「１」に遷移した場合は、制御部９０は、Ｓ２１６において否定判断をする（Ｓ２１６：Ｎ）。そして、制御部９０は、給紙トレイ１５が非装着位置にある旨を、ＰＣなどの外部機器や表示部１８を介してユーザに報知して（Ｓ２１８）、再びＳ２０２に戻る。
【００９３】
制御部９０は、カウント開始から１０秒以内に給紙トレイ１５が移動したと判断すると（Ｓ２１６：Ｙ）再びＳ２１６に進む。今度は、給紙トレイ１５が移動した、つまり給紙トレイ位置フラグメモリ９４Ｂに記憶されるフラグが「１」から「０」に遷移すると、給紙トレイ位置フラグメモリ９４Ｂには「０」が記憶されているので（Ｓ２１６：Ｙ）、Ｓ２２０に進む。制御部９０は、ユーザによる画像記録再開の指示を受けるためにタイマカウンタ９５によるカウント開始から１０秒間待機する（Ｓ２２０：Ｎ、Ｓ２２２：Ｎ）。そしてタイマカウンタ９５によるカウント開始から１０秒間の待機中に、ユーザによって画像データ入力部２１０から画像記録再開の指示がされると、キャップ処理を終了し、メイン処理（図９）のＳ１０４に進み、給紙を開始する。そして、給紙トレイ１５に画像記録可能な用紙があると（Ｓ１０６：Ｙ）、画像記録を実行する。
【００９４】
このように、本実施形態の複合機１０では、タイマカウンタ９５によるカウントが開始されて１０秒以内に、給紙トレイ１５がユーザによって操作されたことをきっかけにして画像記録を開始する。これはつまり、１０秒以内に給紙トレイが操作されない場合は、１０秒後に画像記録を開始させないことでもある。これにより、複合機１０は給紙トレイ１５が２度操作された、つまり給紙トレイ１５に適切な用紙Ｐが補充されたであろう場合にのみ、画像記録を開始する。よって、給紙トレイ１５内に適切な用紙Ｐが無い状態で、画像記録を再開して再び、画像記録を中断することを抑制することができる。
【００９５】
＜１０秒後にキャップされる場合＞
ここで、タイマカウンタ９５によるカウントの開始から１０秒後にキャッピングを行う場合について図１０及び図１１に示されるフローチャートを用いて説明する。なお、１０秒後にキャッピングを行う場合は、キャップ処理が開始された後、給紙トレイ１５が一度も操作されない場合、又は制御部９０に入力される画像データが高画質記録である場合である。
【００９６】
Ｓ２０４またはＳ２０６において、タイマカウンタ９５によるカウントの開始から１０秒経過すると、制御部９０は、給紙トレイ位置フラグメモリ９４Ｂに「１」（給紙トレイ１５が非装着）が記憶されているか否かの判断をする（Ｓ２０６）。給紙トレイ位置フラグメモリ９４Ｂに「１」が記憶されていることは、給紙トレイ１５が非装着の位置にあることであり、つまり、ユーザにより一度操作されていることである。この場合、制御部９０はＳ２０６において肯定判断をし（Ｓ２０６：Ｙ）、Ｓ２１０に進む。また、給紙トレイ位置フラグメモリ９４Ｂに「０」が記憶されている場合、制御部９０は、Ｓ２０６において否定判断をし（Ｓ２０６：Ｎ）、Ｓ２０８に進む。Ｓ２０８においては、給紙トレイ１５が今までに移動した、つまり、給紙トレイ移動フラグメモリ９３Ｃに「１」が記憶されているか否かの判断をする（Ｓ２０８）。ユーザによって給紙トレイ１５が一度も操作されないと、つまり、給紙トレイ移動フラグメモリ９３Ｃのフラグに「０」が記憶されていると制御部９０は否定判断し（Ｓ２０８：Ｎ）、Ｓ２１４に進む。ユーザによって給紙トレイ１５が一度操作された、つまり、給紙トレイ移動フラグメモリ９３Ｃに記憶されるフラグとして「１」が記憶されていると、制御部９０は肯定判断し（Ｓ２０８：Ｙ）、Ｓ２１０に進む。
【００９７】
Ｓ２１０においては、制御部９０は、当該制御部９０に入力される画像データが、高画質記録であるか否かの判断をする（Ｓ２１０）。具体的には、制御部９０は、画像データフラグメモリ９３Ｂに記憶されるフラグが「０」（低画質記録）か「１」（高画質記録）かによって判断する。そして、高画質記録である、つまり制御部９０が画像データフラグメモリ９３Ｂに「１」が記憶されていると判断すると（Ｓ２１０：Ｙ）、Ｓ２１４に進む。
【００９８】
Ｓ２１４においては、制御部９０は、キャッピング開始時間が１０秒に設定されているか否かの判断をする（Ｓ２１４）。具体的には、制御部９０は、キャップ時間フラグメモリ９３Ａに記憶されるフラグが「０」（１０秒後にキャッピング開始）か「１」（６０秒後にキャッピング開始）かによって判断する。なお、先述したようにキャップ時間フラグメモリ９３Ａには、初期値として、「０」が記憶されているので（Ｓ２１４：Ｙ）、Ｓ２２４に示されるキャッピング１０秒処理（図１１参照）に移行する。
【００９９】
図１１のフローチャートに示されるキャッピング１０秒処理に移行すると、まず、制御部９０は、キャッピング動作（本発明のキャップ動作の一例）を開始し（Ｓ３００）、次いでＳ３０２に進む。このキャッピング動作には、クック動作処理（図８参照）と、クック動作処理後にＡＳＦモータ２０２を正回転させてキャップを上昇させる上昇動作とを含む。Ｓ３０２においては、制御部９０が、当該制御部９０に入力される画像データが、高画質記録であるか否かの判断をする（Ｓ３０２）。つまり、制御部９０が画像データフラグメモリ９３Ｂに「１」が記憶されていると判断すると（Ｓ３０２：Ｙ）、Ｓ３０６に進む。また、制御部９０が画像データフラグメモリ９３Ｂに「０」が記憶されていると判断すると（Ｓ３０２：Ｎ）、Ｓ３０４に進む。Ｓ３０４においては、制御部９０が、キャッピング動作開始中に給紙トレイ１５が移動したか否かの判断をする。つまり、制御部９０は、給紙トレイ位置フラグメモリ９４Ｂに記憶されるフラグの遷移が無い場合は（Ｓ３０４：Ｎ）、Ｓ３０６に進む。
【０１００】
そして、Ｓ３０６に進むとキャッピング動作が完了するまで上述のＳ３０２及びＳ３０４を繰り返しつつ（Ｓ３０６：Ｎ）、終了していないキャッピング動作を完了させて、記録ヘッド２１をキャッピングする（Ｓ３０６：Ｙ）。このキャッピング動作が完了したことの判断は、キャップセンサ１４０によってＯＦＦを示す信号が制御部９０に出力されたことによって判断される。キャッピング動作が完了（Ｓ３０６：Ｙ）すると、Ｓ３１２に示すキャッピング６０秒処理に進む。なお、Ｓ３００及びＳ３０６における制御部９０の動作は、本発明のキャップ動作手段の一例である。
【０１０１】
このように本実施形態の複合機１０では、画像データが高画質記録である場合であったり、タイマカウンタ９５によるカウントが開始されて１０秒以内に、給紙トレイ１５がユーザによって一度も操作されない場合は、制御部９０は、１０秒後にキャッピング動作を開始する。キャッピング開始後においても、給紙トレイ１５がユーザによって一度も操作されない限りキャッピング動作を継続してキャッピングをする。これにより、以下の効果を奏する。つまり、高画質記録においては、画質を保証するために、画像記録時においてはノズル２６の表面の乾燥の影響がないことが好ましい。したがって、高画質記録においては、給紙トレイ１５の操作の如何に関わらずタイマカウンタ９５のカウントの開始から１０秒後にキャッピングを行う。これにより、ノズル２６の表面の乾燥により、高画質印刷の画質が低下することを抑制することができる。
【０１０２】
＜１０秒後のキャッピング動作が中断される場合＞
ここで、キャッピング動作を中断させる場合について図１１に示されるフローチャートを用いて説明する。なお、キャッピング動作が中断される場合は、タイマカウンタ９５によるカウントの開始から１０秒後のキャッピング動作中に、給紙トレイ１５が移動した場合である。
【０１０３】
Ｓ３０４において、キャッピング動作完了前に（Ｓ３０６：Ｎ）、制御部９０によって給紙トレイ１５が移動したと判断すると（Ｓ３０４：Ｙ）、キャッピング動作を中断する（Ｓ３０８、）。なお、Ｓ３０８における制御部９０の動作は、キャップ中断手段の一例である。Ｓ３０４における肯定判断（Ｓ３０４：Ｙ）は、キャッピング動作完了前に（Ｓ３０６：Ｎ）に、制御部９０によって給紙トレイ位置フラグメモリ９４Ｂに記憶されるフラグの遷移があったと判断された場合である。キャッピング動作中断は、例えば、キャッピング動作のうち、クック動作中にＳ３０８に進んだ場合は、新たに、レバー突起７１Ｂを第２姿勢から第１姿勢に姿勢変化させて、クック動作処理を実行する。また、キャップ上昇動作中にＳ３０８に進んだ場合は、正回転していたＡＳＦモータ２０２を逆回転させてキャップ６１を下降させるキャップ下降動作を行う。その後、レバー突起７１Ｂを第２姿勢から第１姿勢に姿勢変化させて、クック動作処理を実行する。
【０１０４】
そして、クック動作処理の実行中に、制御部９０は、記録ヘッド２１を有するキャリッジ２３を移動開始位置に移動させる（Ｓ３１０）。例えば、移動開始位置としては、上述したように、廃インクトレイ４２上の位置である。そして、Ｓ３１０の処理が終わると、Ｓ３１２に示すキャッピング６０秒処理に進む。
【０１０５】
＜６０秒後にキャップされる場合＞
ここで、タイマカウンタ９５によるカウントの開始から６０秒後にキャッピングを行う場合について主に図１０乃至図１２に示されるフローチャートを用いて説明する。なお、６０秒後にキャッピング動作が行われる場合は、タイマカウンタ９５による開始から１０秒以内に給紙トレイ１５が移動された場合や、キャッピング動作が中断された場合である。
【０１０６】
まず、図１０に示されるフローチャートを用いて説明する。Ｓ２０６において、制御部９０が、給紙トレイ位置フラグメモリ９４Ｂに「１」が記憶されている場合であって（Ｓ２０６：Ｙ）、または、今までに給紙トレイ１５が移動した場合であって（Ｓ２０８：Ｙ）、高画質記録でない場合（Ｓ２１２：Ｎ）であると判断すると、制御部９０は、キャッピング開始時間を６０秒に設定する（Ｓ２１２）。具体的には、制御部９０は、キャップ時間フラグメモリ９３Ａに記憶されるフラグを「１」に記憶する。すると、キャップ時間フラグメモリ９３Ａには「１」が記憶されているため、Ｓ２１４の処理においては否定判断（Ｓ２１４：Ｎ）され、キャッピング６０秒処理に進む（Ｓ２２６）。
【０１０７】
また、Ｓ２１４において肯定判断（Ｓ２１４：Ｙ）されて、キャッピング１０秒処理の開始後、Ｓ３０６が肯定判断（Ｓ３０６：Ｙ）、またはＳ３１０の処理が実行されると、キャッピング６０秒処理に進む（Ｓ３１２）。
【０１０８】
なお、図１２のフローチャートに示されるキャッピング６０秒処理に進んだ場合は、給紙トレイ１５の状態として以下の３つの場合が挙げられる。第１の場合は、給紙トレイ１５が一度も操作されない、つまり、給紙トレイ１５が装着されたまま制御部９０によってキャッピングが１０秒後に行われた場合である。第２の場合は、タイマカウンタ９５によるカウントの開始から１０秒以内に給紙トレイ１５が非装着位置に移動された、つまり給紙トレイ１５が一度は操作されている場合である。第３の場合は、１０秒後のキャッピング動作中に非装着位置にある給紙トレイ１５が装着位置に移動された、つまり給紙トレイ１５が一度は操作されている場合である。以下、３つの場合についてそれぞれ説明する。
【０１０９】
＜第１の場合の動作＞
第１の場合とは上述したように、給紙トレイ１５が一度も操作されない、つまり、給紙トレイ１５が装着されたまま制御部９０によってキャッピングが１０秒後に行われた場合である。
【０１１０】
キャッピング６０秒処理に進むと、まず、制御部９０は、タイマカウンタ９５のカウントが６０秒を経過したか否かを判断する（Ｓ４００）。制御部９０がＳ４００において否定判断（Ｓ４００：Ｎ）した場合は、次に制御部９０は、給紙トレイ１５が移動したか否かの判断をする（Ｓ４０２）。給紙トレイ１５が移動していない場合は（Ｓ４０２：Ｎ）、Ｓ４０４に進むが、この第１の場合においては、給紙トレイ１５は一度も操作されていない、つまり、給紙トレイ移動フラグメモリ９３Ｃのフラグに「０」が記憶されているので、制御部９０は、否定判断し（Ｓ４０４：Ｎ）、Ｓ４００に戻る。また、給紙トレイ１５が移動した場合は（Ｓ４０２：Ｙ）、Ｓ４０８に進み、制御部９０は、給紙トレイ位置フラグメモリ９４Ｂに「０」が記憶されているか否かの判断をする（Ｓ４０８）。第１の場合においては、一度給紙トレイ１５が移動すると、非装着位置に位置する、つまり、給紙トレイ位置フラグメモリ９４Ｂのフラグに「１」が記憶されるので、Ｓ４０８において制御部９０は否定判断をする（Ｓ４０８：Ｎ）。そして、制御部９０は、給紙トレイ１５が非装着位置にある旨を、ＰＣなどの外部機器や表示部１８を介してユーザに報知して（Ｓ４０６）、再びＳ４００に戻る。
【０１１１】
その後、再び給紙トレイ１５が移動される（Ｓ４０２：Ｙ）、つまり装着位置に移動すると、給紙トレイ位置フラグメモリ９４Ｂのフラグに「０」が記憶されるため、Ｓ４０８において制御部９０は肯定判断をする（Ｓ４０８：Ｙ）。そして、制御部９０は、タイマカウンタ９５のカウントが６０秒を経過するまで、ユーザによる画像記録再開の指示を待つ（Ｓ４１０：Ｎ、Ｓ４１２：Ｎ）。
【０１１２】
そして、制御部９０は、ユーザによる画像記録再開の指示を受けると（Ｓ４１２：Ｙ）、キャップセンサ１４０がＯＦＦを示す信号を制御部９０に出力しているか否かの判断をする（Ｓ４１４）。第１の場合においては、タイマカウンタ９５によるカウントの開始から１０秒後に行われるキャッピング動作が完了している、つまりキャップセンサ１４０はＯＦＦを示す信号を制御部９０に出力している。よって、Ｓ４１４においては、制御部９０は、肯定判断（Ｓ４１４：Ｙ）をし、図９のフローチャートに示すＳ１００に戻る。
【０１１３】
次に、Ｓ４００、Ｓ４１０においてタイマカウンタ９５によるカウントの開始から６０秒経過した場合（Ｓ４００：Ｙ、Ｓ４１０：Ｙ）について説明する。タイマカウンタ９５によるカウントの開始から６０秒経過すると、制御部９０は、キャップセンサがＯＦＦを示す信号を制御部９０に出力しているか否かの判断をする（Ｓ４１６）。上述したように、第１の場合においては、キャップセンサ１４０は制御部９０にＯＦＦを示す信号を出力しているので、制御部９０はＳ４１６において肯定判断をし（Ｓ４１６：Ｙ）、Ｓ４２０に進む。
【０１１４】
今までに、給紙トレイ１５が一度も操作されずに６０秒経過した場合は、制御部９０は、給紙トレイ１５が非装着位置に移動されて、さらに装着位置に移動されるまで、つまり、給紙トレイ位置フラグメモリ９４Ｂに記憶されるフラグが「１」から「０」に遷移するまで待機する。（Ｓ４２０：Ｙ、Ｓ４２６：Ｎ）。給紙トレイ位置フラグメモリ９４Ｂに記憶されるフラグが「１」から「０」に遷移するまでは、制御部９０は、給紙トレイ１５が非装着位置にある旨を、ＰＣなどの外部機器や表示部１８を介してユーザに報知する（Ｓ４２４）。そして、給紙トレイ１５が、非装着位置から装着位置に移動、つまり、給紙トレイ位置フラグメモリ９４Ｂに「０」が記憶されると（Ｓ４２６：Ｙ）、制御部９０は、ユーザによる画像記録再開の指示を待つ（Ｓ４２８：Ｎ）。そして、制御部９０はユーザによる画像記録再開の指示を受けると（Ｓ４２８：Ｙ）、図９フローチャートに示すＳ１００に戻る。
【０１１５】
給紙トレイ１５が非装着位置に位置する状態で６０秒経過した場合は、制御部９０は、給紙トレイ１５が装着位置に移動されるまで、つまり、給紙トレイ位置フラグメモリ９４Ｂのフラグに「０」が記憶されるまで待機する。（Ｓ４２０：Ｙ、Ｓ４２６：Ｎ）。制御部９０は、給紙トレイ１５が非装着位置にある旨を、ＰＣなどの外部機器や表示部１８を介してユーザに報知する（Ｓ４２４）。そして、給紙トレイ１５が、非装着位置から装着位置に移動、つまり、給紙トレイ位置フラグメモリ９４Ｂに「０」が記憶されると（Ｓ４２６）、制御部９０は、ユーザによる画像記録再開の指示を待つ（Ｓ４２８：Ｎ）。そして、制御部９０はユーザによる画像記録再開の指示を受けると（Ｓ４２８：Ｙ）、図９フローチャートに示すＳ１００に戻る。
【０１１６】
給紙トレイ１５が、非装着位置から装着位置に位置した状態で６０秒経過した場合は、給紙トレイ１５が移動していなくとも（Ｓ４２０：Ｎ）、Ｓ４２２に進み、今までに給紙トレイ１５が移動されているのでＳ４２２において制御部９０は肯定判断をする（Ｓ４２２：Ｙ）。そして、Ｓ４２６に進み給紙トレイ１５が装着位置に位置する、つまり、給紙トレイ位置フラグメモリ９４Ｂには「０」が記憶されているため、Ｓ４２６において制御部９０は、肯定判断をし（Ｓ４２６：Ｙ）、次に、制御部９０は、ユーザによる画像記録再開の指示を待つ（Ｓ４２８：Ｎ）。そして、制御部９０はユーザによる画像記録再開の指示を受けると（Ｓ４２８：Ｙ）、図９フローチャートに示すＳ１００に戻る。
【０１１７】
＜第２の場合の動作＞
第２の場合とは上述したように、タイマカウンタ９５によるカウントの開始から１０秒以内に給紙トレイ１５が非装着位置に移動された、つまり給紙トレイ１５が一度は操作されている場合である。この第２の場合においては、キャッピング処理開始後、キャッピングは完了していない。
【０１１８】
キャッピング６０秒処理に進むと、まず、制御部９０は、タイマカウンタ９５のカウントが６０秒を経過したか否かを判断する（Ｓ４００）。制御部９０がＳ４００において否定判断（Ｓ４００：Ｎ）した場合は、次に制御部９０は、給紙トレイ１５が移動した否かの判断をする（Ｓ４０２）。給紙トレイ１５が移動していない場合は（Ｓ４０２：Ｎ）、Ｓ４０４に進むが、この第２の場合においては、給紙トレイ１５は一度操作されている、つまり、給紙トレイ移動フラグメモリ９３Ｃのフラグに「１」が記憶されているので、制御部９０は、肯定判断する（Ｓ４０４：Ｙ）。次にＳ４０８に進み給紙トレイ位置フラグメモリ９４Ｂに「０」が記憶されているか否かの判断をする（Ｓ４０８）。第２の場合においては、一度給紙トレイ１５が移動すると、非装着位置にある、つまり、給紙トレイ位置フラグメモリ９４Ｂのフラグに「１」が記憶されるので、Ｓ４０８において制御部９０は否定判断をする（Ｓ４０８：Ｎ）。そして、制御部９０は、給紙トレイ１５が非装着位置にある旨を、ＰＣなどの外部機器や表示部１８を介してユーザに報知して（Ｓ４０６）、再びＳ４００に戻る。
【０１１９】
その後、再び給紙トレイ１５が移動される（Ｓ４０２：Ｙ）、つまり装着位置に移動すると、給紙トレイ位置フラグメモリ９４Ｂのフラグに「０」が記憶されるため、Ｓ４０８において制御部９０は肯定判断をする（Ｓ４０８：Ｙ）。そして、制御部９０は、タイマカウンタ９５のカウントが６０秒を経過するまで、ユーザによる画像記録再開の指示を待つ（Ｓ４１０：Ｎ、Ｓ４１２：Ｎ）。
【０１２０】
そして、制御部９０は、ユーザによる画像記録再開の指示を受けると（Ｓ４１２：Ｙ）、キャップセンサ１４０がＯＦＦを示す信号を制御部９０に出力しているか否かの判断をする（Ｓ４１４）。第２の場合においては、タイマカウンタ９５によるカウントの開始から１０秒後に行われるキャッピング動作が完了していない、つまりキャップセンサ１４０はＯＮを示す信号を制御部９０に出力している。よって、Ｓ４１４においては、制御部９０は、否定判断（Ｓ４１４：Ｙ）をし、図９のフローチャートに示すＳ１０２に戻る。
【０１２１】
次に、Ｓ４００、Ｓ４１０においてタイマカウンタ９５によるカウントの開始から６０秒経過した場合（Ｓ４００：Ｙ、Ｓ４１０：Ｙ）について説明する。タイマカウンタ９５によるカウントの開始から６０秒経過すると、制御部９０は、キャップセンサがＯＦＦを示す信号を制御部９０に出力しているか否かの判断をする（Ｓ４１６）。上述したように、第２の場合は、キャップセンサ１４０は制御部９０にＯＮを示す信号を出力しているので、制御部９０はＳ４１４において否定判断をする（Ｓ４１６：Ｙ）。次に、記録ヘッド２１のキャッピングを完了し（Ｓ４１８）、Ｓ４２０に進む。なお、Ｓ４１８における制御部９０の動作は、本発明のキャップ動作手段の一例である。
【０１２２】
給紙トレイ１５が非装着位置に位置する状態で６０秒経過した場合は、制御部９０は、給紙トレイ１５が装着位置に移動されるまで、つまり、給紙トレイ位置フラグメモリ９４Ｂのフラグに「０」が記憶されるまで待機する。（Ｓ４２０：Ｙ、Ｓ４２６：Ｎ）。制御部９０は、給紙トレイ１５が非装着位置にある旨を、ＰＣなどの外部機器や表示部１８を介してユーザに報知する（Ｓ４２４）。そして、給紙トレイ１５が、非装着位置から装着位置に移動、つまり、給紙トレイ位置フラグメモリ９４Ｂに「０」が記憶されると（Ｓ４２２）、制御部９０は、ユーザによる画像記録再開の指示を待つ（Ｓ４２８：Ｎ）。そして、制御部９０はユーザによる画像記録再開の指示を受けると（Ｓ４２８：Ｙ）、図９フローチャートに示すＳ１００に戻る。
【０１２３】
給紙トレイ１５が、非装着位置から装着位置へ移動して装着位置に位置した状態で６０秒経過した場合は、給紙トレイ１５が移動していなくとも（Ｓ４２０：Ｎ）、Ｓ４２２に進み、今までに給紙トレイ１５が移動されている、つまり、給紙トレイ移動フラグメモリ９３Ｃのフラグに「１」が記憶されているので、Ｓ４２２において制御部９０は肯定判断をする（Ｓ４２２：Ｙ）。そして、Ｓ４２６に進み給紙トレイ１５が装着位置に位置する、つまり、給紙トレイ位置フラグメモリ９４Ｂには「０」が記憶されているため、Ｓ４２６において制御部９０は、肯定判断をし（Ｓ４２６：Ｙ）、次に、制御部９０は、ユーザによる画像記録再開の指示を待つ（Ｓ４２８：Ｎ）。そして、制御部９０はユーザによる画像記録再開の指示を受けると（Ｓ４２８：Ｙ）、図９フローチャートに示すＳ１００に戻る。
【０１２４】
＜第３の場合の動作＞
第３の場合とは上述したように、１０秒後のキャッピング動作中に非装着位置にある給紙トレイ１５が装着位置に移動された、つまり給紙トレイ１５が一度は操作されている場合である。この第３の場合では、キャッピング動作が中断されているので、キャップ処理開始後、キャッピングは完了していない。
【０１２５】
キャッピング６０秒処理に進むと、まず、制御部９０は、タイマカウンタ９５のカウントが６０秒を経過したか否かを判断する（Ｓ４００）。制御部９０がＳ４００において否定判断（Ｓ４００：Ｎ）した場合は、次に制御部９０は、Ｓ４０２に進む。ここで、給紙トレイ１５が移動していなくとも（Ｓ４０２：Ｎ）、Ｓ４０４に進むが、この第３の場合においては、給紙トレイ１５は一度操作されている、つまり、給紙トレイ移動フラグメモリ９３Ｃにはフラグとして「１」が記憶されているので、制御部９０は、肯定判断する（Ｓ４０４：Ｙ）。次にＳ４０８に進み、給紙トレイ位置フラグメモリ９４Ｂに「０」が記憶されているか否かの判断をする（Ｓ４０８）。第３の場合においては、給紙トレイ１５が二度操作されて、装着位置にある、つまり、給紙トレイ位置フラグメモリ９４Ｂのフラグに「０」が記憶されるので、Ｓ４０８において制御部９０は肯定判断をする（Ｓ４０８：Ｙ）。そして、制御部９０は、タイマカウンタ９５のカウントが６０秒を経過するまで、ユーザによる画像記録再開の指示を待つ（Ｓ４１０：Ｎ、Ｓ４１２：Ｎ）。
【０１２６】
そして、制御部９０は、ユーザによる画像記録再開の指示を受けると（Ｓ４１２：Ｙ）、キャップセンサ１４０がＯＦＦを示す信号を制御部９０に出力しているか否かの判断をする（Ｓ４１４）。第３の場合においては、タイマカウンタ９５によるカウントの開始から１０秒後に行われるキャッピング動作が完了していない、つまりキャップセンサ１４０はＯＮを示す信号を制御部９０に出力している。よって、Ｓ４１４においては、制御部９０は、否定判断（Ｓ４１４：Ｙ）をし、図９のフローチャートに示すＳ１０２に戻る。
【０１２７】
次に、Ｓ４００、Ｓ４１０においてタイマカウンタ９５によるカウントの開始から６０秒経過した場合（Ｓ４００：Ｙ、Ｓ４１０：Ｙ）について説明する。タイマカウンタ９５によるカウントの開始から６０秒経過すると、制御部９０は、キャップセンサがＯＦＦを示す信号を制御部９０に出力しているか否かの判断をする（Ｓ４１６）。上述したように、第３の場合は、キャップセンサ１４０は制御部９０にＯＮを示す信号を出力しているので、制御部９０はＳ４１４において否定判断をする（Ｓ４１６：Ｎ）。次に、記録ヘッド２１のキャッピングを完了し（Ｓ４１８）、Ｓ４２０に進む。
【０１２８】
第３の場合においては、給紙トレイ１５が、非装着位置から装着位置に位置した状態で６０秒経過した場合なので、給紙トレイ１５が移動していなくとも（Ｓ４２０：Ｎ）、Ｓ４２２に進み、今までに給紙トレイ１５が移動されている、つまり、給紙トレイ移動フラグメモリ９３Ｃのフラグに「１」が記憶されているので、Ｓ４２２において制御部９０は肯定判断をする（Ｓ４２２：Ｙ）。そして、Ｓ４２６に進み、給紙トレイ１５が装着位置に位置する、つまり、給紙トレイ位置フラグメモリ９４Ｂには「０」が記憶されているため、Ｓ４２６において制御部９０は、肯定判断をし（Ｓ４２６：Ｙ）、次に、制御部９０は、ユーザによる画像記録再開の指示を待つ（Ｓ４２８：Ｎ）。そして、制御部９０はユーザによる画像記録再開の指示を受けると（Ｓ４２８：Ｙ）、図９フローチャートに示すＳ１００に戻る。なお、Ｓ４１４又はＳ４２８と、Ｓ１００における制御部９０の動作は、本発明のキャップ解除手段の一例である。
【０１２９】
＜本実施形態の作用効果＞
上述したように、制御部９０は、タイマカウンタ９５による時間のカウント開始から１０秒以内に、給紙トレイ１５が移動していないと判断したら、キャッピング動作の開始を１０秒後に設定する。これにより、記録ヘッド２１のノズル２６面の表面の乾燥を防止する。一方で、制御部９０は、タイマカウンタ９５による時間のカウント開始から１０秒以内に、給紙トレイ１５が移動したと判断したら、キャッピングの動作の開始を６０秒後に設定する。よって、本発明の実施形態である複合機１０は、キャッピング動作の開始を１０秒後から６０秒後に設定することで、キャッピングまでの時間を延長する。つまり、この延長された時間（６０秒）内にユーザが画像記録の再開の指示をすれば、キャップアウトの時間を削減することができるので、画像記録が迅速に再開される。
【０１３０】
さらに、キャッピング動作が開始してキャッピング動作が終了、つまり、ノズル２６面がキャップ６１に覆われると、制御部９０は、給紙トレイ１５が移動して、且つ給紙トレイ１５が装着位置に位置しない限り、キャップアウトをしない。換言すれば、制御部９０は、給紙トレイ１５が移動して、且つ給紙トレイが装着位置に位置すると、キャップアウトを行う。これにより、ユーザによって給紙トレイ１５が移動されない、つまり、用紙Ｐが給紙トレイ１５に補充されず、画像記録の再開の指示がされたとしても、制御部９０は、キャップアウトしない。したがって、給紙トレイ１５に用紙Ｐが補充されずに、キャップアウトをすることによりノズル２６面の表面が乾燥してしまうという事態を防止することができる。
【０１３１】
さらに、キャッピング動作が終了して、給紙トレイ１５が移動されて、且つ給紙トレイ１５が装着位置に位置すると、制御部９０は、記録ヘッド２１を有するキャリッジ２３を移動開始位置に移動させておく。この処理は、具体的にはＳ４１４またはＳ４２８での肯定判断後のＳ１００の処理である。この移動開始位置とは、記録ヘッド２１からインクを吐出する際の、キャリッジ２３が移動を開始する位置である。したがって、制御部９０は、記録ヘッド２１を有するキャリッジ２３が移動開始位置に移動させるので、画像記録の再開のときに、キャリッジ２３の移動のための時間を削減でき、より一層画像記録の再開を迅速に行うことが出来る。
【０１３２】
さらに、キャッピング動作中、つまりキャッピング動作の開始から終了までの間に給紙トレイ１５が移動されると、制御部９０は、キャッピング動作を中断する。そして、中断後は、制御部９０は、移動開始位置にキャリッジ２３を移動させる。また、制御部９０は、キャッピング動作の開始を６０秒後に設定する。そして、キャッピング動作が中断されると、制御部９０は、キャップ６１を記録ヘッド２１から離間させるためにクック動作やキャップ下降動作を開始する。つまり、例え１０秒後のキャッピング動作中に、給紙トレイ１５が移動されたとしても、キャッピング動作を６０秒後に延長する。よって、この延長された時間（６０秒）内にユーザが画像記録の再開の指示をすれば、キャップアウトの時間を削減することができるので、画像記録が迅速に再開される。また、制御部９０は、キャッピング動作の中断後は、移動開始位置にキャリッジ２３を移動させるので、画像記録の再開のときに、キャリッジ２３の移動のための時間を削減できるので、より一層画像記録の再開を迅速に行うことが出来る。
【０１３３】
さらに、画像データが高画質記録を示している場合は、制御部９０は、１０秒後に強制的にキャッピング動作を開始させて、キャッピング動作を終了させる。これにより、高画質記録時に、ノズル２６面の表面が乾燥して、画質が低下するといったことを抑制することができる。
【０１３４】
＜変形例＞
本実施形態においては、制御部９０による、画像データ中の用紙サイズと給紙トレイ１５中の用紙サイズとが合致するか否かの判断を、画像データ中の用紙サイズと、キャリッジ２３に設けられる不図示のメディアセンサの出力結果とによって行った。しかし、当該判断はこれに限らない。例えばユーザがＰＣなどの外部機器から、給紙トレイ１５内に載置される用紙サイズを複合機１０に記憶させておく。つまり、制御部９０は、画像データ中の用紙サイズと給紙トレイ１５中の用紙サイズとが合致するか否かの判断を、画像データが入力された場合に、画像データに含まれる用紙サイズと、複合機１０に記憶された用紙サイズとを照合して行ってもよい。なお、この複合機１０に記憶される用紙サイズと、入力される画像データに含まれる用紙サイズとの照合によって画像データ中の用紙サイズと給紙トレイ１５中の用紙サイズとが合致するか否かの判断する制御部９０の動作は、本発明の有無検知手段の一例である。
【０１３５】
本実施形態においては、記録ヘッド２１を有するキャリッジ２３の移動開始位置を廃インクトレイ４２上の位置としたが、これに限らない。例えば、画像データに従って、用紙Ｐに対する最初のインクの吐出開始位置よりも、インクを吐出するキャリッジ２３の走査向きの上流側に所定距離離れた位置であってもよい。所定距離としては、例えば、キャリッジ２３の加速距離が挙げられる。
【０１３６】
本実施形態においては、キャップ６１の移動はＡＳＦモータ２０２の正逆回転により実現されたが、これに限らない。例えば、キャリッジ２３の当接片２５と当接して姿勢変化する被当接部材が、保守機構６０に設けられ、当該被当接部材の姿勢変化に連動して、キャップ６１の移動が実現されてもよい。
【０１３７】
本実施形態においては、キャップ６１が当接位置にあるか否かの検知は、光センサを含むキャップセンサによって実現されたが、これに限らない。例えば、ＡＳＦロータリーエンコーダ１２０によって検知されるＡＳＦモータ２０２の回転量によって実現されてもよい。この場合、制御部９０は、ＡＳＦモータ２０２の正回転の回転量がある所定の回転量になった場合に、キャップ６１が当接位置にあると検知する。また、制御部９０は、ＡＳＦモータ２０２の逆回転の回転量がある所定の回転量になった場合に、キャップ６１が離間位置にあると検知する。
【０１３８】
本実施形態では、キャップ処理からメイン処理に移行する際は、ユーザによる画像記録再開の指示がされてから移行したが、これに限らない。例えば、給紙トレイ１５が二度操作されて、給紙トレイ位置フラグ９４Ｂのフラグが「０」に記憶された段階で、メイン処理に移行しても良い。具体的には、図１０のフローチャートに示されるＳ２２０、図１２のフローチャートに示されるＳ４１２、Ｓ４２８を省略してもよい。Ｓ２２０を省略する場合は、Ｓ２２２も省略する。そして、Ｓ２１６において制御部９０が肯定判断（Ｓ２１６：Ｙ）した場合に、Ｓ１０４に移行する。Ｓ４１２を省略する場合は、Ｓ４１０も省略する。そして、Ｓ４０８において制御部９０が肯定判断（Ｓ４０８：Ｙ）した場合に、Ｓ４１４に移行する。Ｓ４２８を省略した場合には、Ｓ４２６において制御部９０が肯定判断（Ｓ４２６：Ｙ）をした場合に、Ｓ１００に移行する。例えば、給紙トレイ１５が二度操作されて、給紙トレイ位置フラグ９４Ｂのフラグが「０」に記憶された段階で、メイン処理に移行して、画像記録を再開すると、ユーザによる画像記録の再開の指示を待つことがないため、より迅速に画像記録を再開することができる。
【符号の説明】
【０１３９】
１０  ・・・複合機
１５  ・・・給紙トレイ
２１  ・・・記録ヘッド
２２  ・・・プラテン
２３  ・・・キャリッジ
２６  ・・・ノズル
３１  ・・・給紙ローラ
６０  ・・・保守機構
６１  ・・・キャップ
９０  ・・・制御部
９５  ・・・タイマカウンタ
１００・・・トレイセンサ
【図１】
0005843144.tif 000002
【図２】
0005843144.tif 000003
【図３】
0005843144.tif 000004
【図４】
0005843144.tif 000005
【図５】
0005843144.tif 000006
【図６】
0005843144.tif 000007
【図７】
0005843144.tif 000008
【図８】
0005843144.tif 000009
【図９】
0005843144.tif 000010
【図１０】
0005843144.tif 000011
【図１１】
0005843144.tif 000012
【図１２】
0005843144.tif 000013